(57)【要約】【課題】  古紙の解繊コストを低減しつつ、情報の漏洩を防止し、且つ、廃液を発生させないことが可能な古紙繊維素材利用システム及び古紙解繊装置を提供することを目的とする。【解決手段】  古紙解繊装置１３において、古紙１１−１の重さの６０〜１００％の水分をタンク１３−５に注入し、複数の羽を備える回転羽１３−７を回転させることにより、古紙１１−１を解繊させ、その解繊された繊維素材１１−２を製紙工場１５または再生製品工場１６に搬送し、再生紙、入れ物、置物、園芸用の土壌、鉄道用の枕木、断熱材、不燃材、植物用培地、緩衝材、廃液フィルター、排煙フィルター、または油吸着材等再生製品を製造する。【選択図】      図１
2005009062.tif 000002
【特許請求の範囲】
【請求項１】
古紙を繊維素材に解繊する解繊手段と、
上記繊維素材から再生品を生成する再生手段と、
を備え、
上記解繊手段は、古紙を解繊して繊維化可能であって、且つ、解繊後の繊維素材を圧縮しても廃液がでない範囲内の量の水を使用して、上記古紙を繊維素材に解繊することを特徴とする古紙繊維素材利用システム。
【請求項２】
請求項１に記載の古紙繊維素材利用システムであって、
上記解繊手段は、解繊する古紙の重さと、解繊する際に使用される水の重さとの比を１対０．６〜１．０とする場合の該水を使用して、上記古紙を歩留まり１００％で解繊することを特徴とする古紙繊維素材利用システム。
【請求項３】
請求項１に記載の古紙繊維素材利用システムであって、
上記再生手段は、上記繊維素材と所定の添加物とを混合し、ある特性を有する物質を形成することを特徴とする古紙繊維素材利用システム。
【請求項４】
請求項３に記載の古紙繊維素材利用システムであって、
上記添加物は、石膏、ゴム、糊材、充填材、セラミック粉末、炭粉末、銅線、鉄線、セメント、無機質粉体、ゼオライトのいずれか１つまたは２つ以上が配合されたものであることを特徴とする古紙繊維素材利用システム。
【請求項５】
請求項１に記載の古紙繊維素材利用システムであって、
上記再生手段は、上記繊維素材を所定の色で着色することを特徴とする古紙繊維素材利用システム。
【請求項６】
古紙を繊維素材に解繊する古紙解繊装置であって、
中心から伸びる複数の羽を有する回転羽と、
上記回転羽が内部に設けられ、上記古紙を収容する収容部と、
古紙を解繊して繊維化可能であって、且つ、解繊後の繊維素材を圧縮しても廃液がでない範囲内の量の水を上記収容部に注入する注入手段と、
上記収容部に収容される古紙の種類、組み合わせ、及び重さに基づいて上記回転羽の回転速度を制御する制御手段と、
を備えることを特徴とする古紙解繊装置。
【請求項７】
請求項６に記載の古紙解繊装置であって、
上記注入手段は、上記古紙の重さと、該古紙を解繊する際に使用される水の重さとの比を１対０．６〜１．０とする場合の該水を上記収容部に注入することを特徴とする古紙解繊装置。
【請求項８】
請求項６に記載の古紙解繊装置であって、
上記制御手段は、上記収容部に収容される古紙の種類、組み合わせ、及び重さに基づいて回転時間及び上記水の量を制御することを特徴とする古紙解繊装置。
【請求項９】
請求項６に記載の古紙解繊装置であって、
上記収容部に設けられる蓋の内側面に、所定長の突起物が設けられていることを特徴とする古紙解繊装置。
【請求項１０】
請求項６に記載の古紙解繊装置であって、
上記収容部に設けられる蓋の内側面に、おわん型部材または円錐型部材が設けられていることを特徴とする古紙解繊装置。
【請求項１１】
請求項６に記載の古紙解繊装置であって、
上記収容部に設けられる蓋に、１つ以上の孔が設けられていることを特徴とする古紙解繊装置。
【請求項１２】
請求項１０に記載の古紙解繊装置であって、
上記おわん型部材または円錐型部材の内側面に所定長の突起物が設けられていることを特徴とする古紙解繊装置。
【請求項１３】
請求項６に記載の古紙解繊装置であって、
上記回転羽は、上記収容部の内側側面と上記回転羽の有する羽の先端部分との間に所定の大きさの隙間があくように、形成されていることを特徴とする古紙解繊装置。
【請求項１４】
請求項６に記載の古紙解繊装置であって、
上記複数の羽は、上記回転羽の中心より外方に至るにつれて広がるように、形成されていることを特徴とする古紙解繊装置。
【請求項１５】
請求項６に記載の古紙解繊装置であって、
上記回転羽は、上記収容部に２つ以上設けられることを特徴とする古紙解繊装置。
【請求項１６】
請求項６に記載の古紙解繊装置であって、
上記収容部に設けられる蓋の内側に、上記回転羽が１つ以上設けられていることを特徴とする古紙解繊装置。
【請求項１７】
請求項６に記載の古紙解繊装置であって、
上記収容部の内側側面に１つ以上の上記回転羽が設けられていることを特徴とする古紙解繊装置。
【請求項１８】
請求項６に記載の古紙解繊装置であって、
上記収容部に設けられ、該収容部の外側から該収容部の内部の様子が観察することが可能な表示手段を備えることを特徴とする古紙解繊装置。
【請求項１９】
請求項６に記載の古紙解繊装置であって、
上記収容部の内部を明るくさせる照明手段を備えることを特徴とする古紙解繊装置。
【請求項２０】
請求項６に記載の古紙解繊装置であって、
上記収容部は、該収容部の底面の中心点と該収容部の開口部の中心点とを結ぶ軸と、地面に対して垂直な軸とからなる角度が所定角度を有して構成されることを特徴とする古紙解繊装置。
【請求項２１】
請求項６に記載の古紙解繊装置であって、
上記収容部は、複数の収容部からなり、該複数の収容部の内の所定の収容部で解繊された古紙を該所定の収容部とは別の収容部で解繊すること特徴とする古紙解繊装置。
【請求項２２】
古紙を繊維素材に解繊する古紙解繊装置であって、
上記古紙を収容し、側面が所定の回転速度で回転する収容部と、
上記収容部の内側に設けられる１つ以上の突起部材と、
古紙を解繊して繊維化可能であって、且つ、解繊後の繊維素材を圧縮しても廃液がでない範囲内の量の水を上記収容部に注入する注入手段と、
上記収容部に収容される古紙の種類、組み合わせ、及び重さに基づいて上記収容部の側面の回転速度を制御する制御手段と、
を備えることを特徴とする古紙解繊装置。
【請求項２３】
古紙を繊維素材に解繊する古紙解繊装置であって、
上記古紙を収容し、蓋が所定の回転速度で回転する収容部と、
上記収容部の蓋の内側面に設けられる１つ以上の突起部材と、
古紙を解繊して繊維化可能であって、且つ、解繊後の繊維素材を圧縮しても廃液がでない範囲内の量の水を上記収容部に注入する注入手段と、
上記収容部に収容される古紙の種類、組み合わせ、及び重さに基づいて上記収容部の蓋の回転速度を制御する制御手段と、
を備えることを特徴とする古紙解繊装置。
【請求項２４】
古紙を繊維素材に解繊する解繊装置の貸し出し先であるユーザの備える端末装置と、
上記繊維素材から再生品を生成する再生手段と、
上記解繊装置における古紙の解繊作業を監視する監視手段と、
上記監視手段の監視内容を示す監視データをネットワークを介して受信し、記録する管理手段と、
上記管理手段で記録される監視データを上記ネットワークを介して上記端末装置に送信する送信手段と、
を備え、
上記解繊装置は、古紙を解繊して繊維化可能であって、且つ、解繊後の繊維素材を圧縮しても廃液がでない範囲内の量の水を使用して、上記古紙を繊維素材に解繊することを特徴とする古紙繊維素材利用システム。
【請求項２５】
請求項６に記載の古紙解繊装置であって、
上記回転羽は、中心からそれぞれ同一直線方向に伸びる２枚の羽を有し、該２枚の羽のそれぞれの上に、上記回転羽が回転することにより上記古紙と衝突し上記古紙を粉砕する粉砕板が設けられていることを特徴とする古紙解繊装置。
【請求項２６】
請求項２５に記載の古紙解繊装置であって、
上記粉砕板は、上記２枚の羽の上に垂直に設けられ、上記直線方向と直交する方向、及び、上記２枚の羽に対して上方向に広がるように形成されることを特徴とする古紙解繊装置。
【請求項２７】
請求項２５に記載の古紙解繊装置であって、
上記回転羽は、上記２枚の羽の上に、上記粉砕板よりも高く、且つ、細長い突起部材が設けられていることを特徴とする古紙解繊装置。
【請求項２８】
請求項６に記載の古紙解繊装置であって、
上記回転羽は、回転すると共に、上記収容部に対して上下方向に移動することを特徴とする古紙解繊装置。
【請求項２９】
請求項６に記載の古紙解繊装置であって、
上記収容部に設けられる蓋は、上記回転羽の回転中に、上記収容部に対して上下方向に移動することを特徴とする古紙解繊装置。
【請求項３０】
請求項６に記載の古紙解繊装置であって、
上記収容部の外周に設けられ所定の温度の熱を発生させる発熱部と、
該発熱部が発生させる熱の温度を調整する調整部と、
を備えることを特徴とする古紙解繊装置。
【請求項３１】
古紙を繊維状に解繊する古紙解繊装置であって、
前記古紙全体に所定量の水分を供給する供給部と、
前記供給部で所定量の水分が含まれた古紙を収容し、前記供給部で所定量の水が含まれた古紙を繊維状に解繊させる回転羽を有する第１の収容部と、
前記回転羽の回転動作を制御する制御部と、
前記第１の収容部の下方または横方向に設けられ、前記回転羽により繊維状に解繊された古紙を収容する第２の収容部と、
前記第１の収容部と前記第２の収容部とを仕切る壁に設けられ、前記回転羽により繊維状に解繊された古紙が通る大きさの孔と、
を備えることを特徴とする古紙解繊装置。
【請求項３２】
請求項３１に記載の古紙解繊装置であって、
前記供給部は、前記古紙の一方の面と接し、所定の方向に回転することにより前記古紙を前記第１の収容部に送り出す第１の円柱形部材と、
前記古紙の他方の面と接し、前記第１の円柱形部材の回転方向と反対方向に回転することにより前記古紙を前記第１の収容部に送り出す第２の円柱形部材と、
を備え、
前記供給部は、前記第１の円柱形部材及び前記第２の円柱形部材の少なくとも一方に前記所定量の水を供給することを特徴とする古紙解繊装置。
【請求項３３】
請求項３２に記載の古紙解繊装置であって、
前記供給部は、前記第１の円柱形部材及び前記第２の円柱形部材の両方に前記所定量の水を供給することを特徴とする古紙解繊装置。
【請求項３４】
請求項３１に記載の古紙解繊装置であって、
前記第１の収容部と前記第２の収容部とを仕切る壁に設けられ、前記孔を開閉させる開閉部を備えることを特徴とする古紙解繊装置。
【請求項３５】
請求項３１に記載の古紙解繊装置であって、
解繊前の複数の前記古紙を収容する第３の収容部と、
前記第３の収容部から前記供給部に所定時間間隔で前記古紙を送り出す送出部と、
を備えることを特徴とする古紙解繊装置。
【請求項３６】
請求項３１に記載の古紙解繊装置であって、
前記供給部は、前記古紙の一方の面と接し、所定の方向に回転することにより前記古紙を前記第１の収容部に送り出す第１の円柱形部材と、
前記古紙の他方の面と接し、前記第１の円柱形部材の回転方向と反対方向に回転することにより前記古紙を前記第１の収容部に送り出す第２の円柱形部材と、
前記第１の円柱形部材及び前記第２の円柱形部材で送り出される前記古紙に前記所定量の水を霧状にして吹き付ける霧吹部と、
を備えることを特徴とする古紙解繊装置。
【請求項３７】
請求項３１に記載の古紙解繊装置であって、
前記第１の収容部は、所定の角度で傾けられていることを特徴とする古紙解繊装置。
【請求項３８】
請求項３１に記載の古紙解繊装置であって、
前記回転羽は、前記第１の収容部の側面に設けられていることを特徴とする古紙解繊装置。
【請求項３９】
請求項３２、３３、または３６に記載の古紙解繊装置であって、
前記第１の円柱形部材の側面に、等間隔に並ぶ円形状の複数の刃が設けられ、
前記第２の円柱形部材の側面に、前記複数の刃と対応する複数の溝が設けられていることを特徴とする古紙解繊装置。
【請求項４０】
請求項３２、３３、または３６に記載の古紙解繊装置であって、
前記第１の円柱形部材の側面に、複数の凸部が設けられ、
前記第２の円柱形部材の側面に、前記複数の凸部に対応する複数の凹部が設けられていることを特徴とする古紙解繊装置。
【請求項４１】
請求項３１〜４０の何れか１項に記載の古紙解繊装置であって、
前記制御部は、同軸上に備えられる複数の前記回転羽の回転動作を制御することを特徴とする古紙解繊装置。
【請求項４２】
請求項３１〜４１の何れか１項に記載の古紙解繊装置であって、
前記供給部は、前記古紙の一方の面と接し、所定の方向に回転することにより前記古紙を前記第１の収容部に送り出す第３の円柱形部材と、
前記古紙の他方の面を押さえる押さえ板と、
を備え、
前記第３の円柱形部材は、側面に複数のスパイク形状部材が設けられていることを特徴とする古紙解繊装置。
【請求項４３】
請求項３１〜４１の何れか１項に記載の古紙解繊装置であって、
前記第１の収容部は、内側側面に１つ以上の突起物が設けられていることを特徴とする古紙解繊装置。
【請求項４４】
請求項３１〜４１の何れか１項に記載の古紙解繊装置であって、
前記第１の収容部は、内側側面に螺旋状の溝が設けられていることを特徴とする古紙解繊装置。
【請求項４５】
請求項３１〜４１の何れか１項に記載の古紙解繊装置であって、
前記第１の収容部は、内側側面に縦方向または横方向の溝が設けられていることを特徴とする古紙解繊装置。
【請求項４６】
請求項１５に記載の古紙解繊装置であって、
前記収容部は、前記２つ以上の回転羽の各回転径に沿った側面を有する柱部材を備えることを特徴とする古紙解繊装置。
【請求項４７】
請求項６に記載の古紙解繊装置であって、
前記回転羽は、回転軸上に円柱部材が設けられ、該円柱部材の側面に棒状部材が設けられていることを特徴とする古紙解繊装置。
【請求項４８】
請求項６に記載の古紙解繊装置であって、
前記回転羽は、回転軸上に円柱部材が設けられ、該円柱部材の側面に紐部材が設けられていることを特徴とする古紙解繊装置。
【請求項４９】
請求項１に記載の古紙繊維素材利用システムであって、
前記再生手段は、前記繊維素材を所定の形に成形された筒体又は半筒体に入れ、垂直緑化、つり下げ緑化その他の緑化に、前記繊維素材を培用土として利用することを特徴とする古紙繊維素材利用システム。
【請求項５０】
請求項１に記載の古紙繊維素材利用システムであって、
前記再生手段は、前記繊維素材とホウ素、防燃材、難燃材その他の素材とを混合して難燃性繊維素材を形成し、該難燃性繊維素材を難燃加工された箱、袋その他の容器に充填し、断熱材を形成することを特徴とする古紙繊維素材利用システム。
【請求項５１】
請求項１に記載の古紙繊維素材利用システムであって、
前記再生手段は、前記繊維素材に水または液肥を染み込ませ、植物を生けるための剣山としての培用土を生成することを特徴とする古紙繊維素材利用システム。
【請求項５２】
古紙を解繊して繊維化可能であって、且つ、解繊後の繊維素材を圧縮しても廃液がでない範囲内の量の水を使用して、前記古紙を繊維素材に解繊する解繊手段と、
ユーザの指示に従って前記繊維素材から再生品を生成する再生手段と、
前記解繊手段における古紙の解繊作業及び前記再生手段における再生品の生成作業を監視し記録する監視手段と、
前記監視手段で記録された監視内容をネットワークを介してユーザが備える端末装置に送信する送信手段と、
を備えることを特徴とする古紙繊維素材利用システム。
【発明の詳細な説明】
【技術分野】
【０００１】
本発明は、古紙を繊維素材に解繊し、その繊維素材からさまざまな再利用製品を製造する古紙繊維素材利用システムに関し、特には、事業所等から出る機密文書、新聞紙、雑誌等に基づく古紙を無駄なく再利用することが可能なように古紙を解繊するための古紙解繊装置に関する。
【背景技術】
【０００２】
一般に、事業所や家庭から発生する古紙（例えば、使用済みコピー用紙、新聞紙、雑誌、使用済み段ボール、ラミネート紙等）は、まず、古紙回収業者（例えば、新聞店、清掃業者、または自治会等）によりリヤカーや小型車等で収集され、建場と呼ばれる収集場所に集められる。そして、集められた古紙は、選別され、所定の大きさに梱包され、中型トラック等で製紙原料屋と呼ばれる古紙の問屋に運ばれる。そして、製紙原料屋に保管されている古紙は、製紙会社等の注文に応じて、大型トラック等でその製紙会社の倉庫等に運ばれる。
【０００３】
また、製紙会社の工場等では、パルパー（水と共に古紙を攪拌し、インクを古紙から脱落させたり、繊維を白くする薬を加えたりする装置）で古紙を繊維素材にし、その繊維素材からクリーナー及びスクリーン（繊維素材よりも重い物質を遠心力で取り除く装置）で金物、プラスチック等の余分な物質を除塵処理する。そして、フローテーター（液化した繊維素材の中に空気を吹込んで泡と一緒にインクを浮かせて繊維素材とインクを分離させる装置）で繊維素材からインクを取り除き、シックスナー（繊維素材に圧力をかけて脱水する装置）で脱水する。従来は、このような工程により、古紙から繊維素材を得ていた。
【０００４】
そして、その繊維素材から、例えば、再生紙等を製造することが行われていた。（例えば、特許文献４参照）
また、その繊維素材と所定の添加材と混合することにより、置物、園芸用の土壌、鉄道用の枕木、断熱材、不燃材、植物用培地、緩衝材、または油吸着材等を製造することも行われて来た。（例えば、特許文献１、２、３、５、７、８、１０、１１、１３、及び１８参照）
また、古紙を解繊する方法としては、水を加えない乾式と、所定量の水を加える湿式（例えば、特許文献６、９、１２、１４、１５、及び１６参照）とがある。
【０００５】
乾式の古紙解繊方法は、古紙を解繊する際に、埃や静電気が発生してしまい、衛生面に問題がある。また、古紙を解繊する装置に過大な負荷がかかるために効率良く古紙を解繊することが難しいという問題がある。
一方、湿式の古紙解繊方法は、例えば、所定量の水を加えながら古紙を解繊していくので、埃や静電気が発生しない。また、古紙を解繊する装置にかかる負荷も低減されるので、効率良く古紙を解繊することができる。
【０００６】
また、従来の古紙解繊方法では、古紙を予めシュレッダー等により細かい紙片に裁断し、その紙片を解繊するという方法もある。（例えば、特許文献１７参照）
例えば、従来では、シュレッダー等の古紙を裁断する装置を搭載した車両が、事業所等に出向き、その事業所等から出る機密書類をシュレッダー等により細かく裁断した後、その裁断処理された古紙を梱包し、再生紙工場等に搬送していた。
【特許文献１】特開２００２−１２５４５６号  （第２〜３頁）
【特許文献２】特開２００１−１４０１８０号  （第２〜３頁）
【特許文献３】特開２０００−１８０１号  （第３頁  第１図）
【特許文献４】特開平９−３８６２９号  （第２〜４頁  第３〜４図）
【特許文献５】特開平８−２８４１００号  （第３頁  第１図）
【特許文献６】特開平８−２１５５９５号  （第３〜４頁  第１図）
【特許文献７】特開平８−１９７６９号  （第３〜６頁  第３図）
【特許文献８】特開平７−８２６８６号  （第３〜５頁  第２頁）
【特許文献９】特開平７−２６４８３号  （第３〜４頁  第１図）
【特許文献１０】特開平７−１６８１０号  （第３〜６頁  ）
【特許文献１１】特開平６−３１３２９９号  （第３頁  第１図）
【特許文献１２】特開平６−２９２８３７号  （第３頁  第１図）
【特許文献１３】特開平５−２４６４６５号  （第３図  第１図）
【特許文献１４】特開平６−１５４６３６号  （第３〜４頁  第１図）
【特許文献１５】特開平６−１３４３３２号  （第３〜４頁  第１図）
【特許文献１６】特開平６−１３４３３１号  （第３〜４頁  第１図）
【特許文献１７】特開平１１−１６９７３８号  （第３〜４頁  第１図）
【特許文献１８】特開平９−２７１６６３号  （第２〜３頁）
【発明の開示】
【発明が解決しようとする課題】
【０００７】
しかしながら、上述のような古紙を繊維状に解繊する工程（パルパー工程）、繊維素材からインクを取り除く工程（フローテーター工程）、及び繊維素材を脱水する工程（シックスナー工程）では、大量の水（例えば、使用される古紙の量に対して、約１００倍の水の量）が必要であり、同時に、大量の廃液を発生させてしまう。そして、この大量な廃液を浄化するための設備に膨大な費用がかかるという問題がある。
【０００８】
また、従来の湿式の古紙解繊方法では、各工程に使用される装置、例えば、パルパーやフローテーター等の装置は、その構成が複雑であり、装置の大きさも大きいので、設置の際に広いスペースを確保する必要があるという問題がある。
また、繊維素材を脱水する際に、廃液と共に繊維素材の一部が流れ出してしまうということがあり、古紙のすべての量を再生紙や再生製品として利用することが難しいという問題がある。一般には、使用される古紙の内、７０％の古紙が再生紙や再生製品に再利用され、残りの３０％の古紙が廃液と共に流出し再利用することができない状況となっている。
【０００９】
また、事業所、役所、または大学等から出る使用済みコンピュータ用紙や使用済みコピー用紙等の古紙は、その古紙に記載される機密情報の漏洩を阻止する必要があるため、シュレッダー等で判読不可能なように細かく裁断したり、そのまま焼却したりしている。そのようなシュレッダー等で裁断された古紙も、製紙工場や再生製品工場等に搬送され、リサイクルされるが、繊維の長さが短くなるために、古紙が水に浮いてしまいリサイクルが困難であったり、再生紙や再生製品の品質があまりよくないという問題もある。
【００１０】
また、古紙を回収、または搬送するために、その輸送費がかかったり、１日に発生する大量な古紙を裁断するために、人件費や設備費が多くかかったりする。そのため、再生紙や再生製品を製造する際のコストが、通常の木材等から紙やパルプ製品を製造するよりも３割ほど高くなるという問題もある。
【００１１】
そこで、本発明では、上記の問題点を考慮に入れ、古紙を解繊する際にかかるコストを低減し、且つ、廃液を発生させないことが可能な古紙繊維素材利用システム及び古紙解繊装置を提供することを目的とする。
【課題を解決するための手段】
【００１２】
上記の課題を解決するために本発明では、以下のような構成を採用した。
すなわち、本発明の古紙繊維素材利用システムは、古紙を繊維素材に解繊する解繊手段と、上記繊維素材から再生品を生成する再生手段とを備える構成とし、上記解繊手段は、古紙を解繊して繊維化可能であって、且つ、解繊後の繊維素材を圧縮しても廃液がでない範囲内の量の水を使用して、上記古紙を繊維素材に解繊することを特徴とする。
【００１３】
また、上記古紙繊維素材利用システムは、解繊する古紙の重さと、解繊する際に使用される水の重さとの比を１対０．６〜１．０とする場合の該水を使用して、上記古紙を歩留まり１００％で解繊するように構成してもよい。
このように、例えば、従来の事業所等で発生する使用済みコピー用紙を、古紙１対水０．６〜１．０の割合の水を使用して解繊することにより、その解繊された古紙を、シュレッダー等で裁断することなく直接再生紙または再生製品の原材料として利用することができるので、古紙から再生紙または再生製品までの製造工程を簡略化することができる。これにより、使用する水の量を激減させることが可能となる。また、低コストで、且つ、良質な再生紙または再生製品を製造することが可能となる。
【００１４】
また、上記古紙繊維素材利用システムの上記生成手段は、上記繊維素材と所定の添加物（例えば、石膏、ゴム、糊材、充填材、セラミック粉末、炭粉末、銅線、鉄線、セメント、無機質粉体、ゼオライトのいずれか１つまたは２つ以上が配合されたもの）とを混合し、ある特性を有する物質を形成するように構成してもよく、また、上記繊維素材を所定の色で着色するように構成してもよい。
【００１５】
これにより、さまざまな再生製品、例えば、厚紙、置物、園芸用の土壌、鉄道用の枕木、断熱材、不燃材、植物用培地、緩衝材、排煙フィルター、廃油フィルター、または油吸着材等を製造することが可能となる。
また、本発明の古紙解繊装置は、古紙を繊維素材に解繊する古紙解繊装置であって、中心から伸びる複数の羽を有する回転羽と、該回転羽が内部に設けられ、上記古紙を収容する収容部と、古紙を解繊して繊維化可能であって、且つ、解繊後の繊維素材を圧縮しても廃液がでない範囲内の量の水を上記収容部に注入する注入手段と、上記収容部に収容される古紙の種類、組み合わせ、及び重さに基づいて上記回転羽の回転速度を制御する制御手段とを備えることを特徴とする。
【００１６】
また、上記古紙解繊装置の注入手段は、上記古紙の重さと、該古紙を解繊する際に使用される水の重さとの比を１対０．６〜１．０とする場合の該水を上記収容部内に注入するように構成してもよい。
これにより、例えば、従来の事業所等で発生する使用済みコピー用紙を、古紙１対水０．６〜１．０の割合の水を使用して解繊することにより、その解繊された古紙を、シュレッダー等で裁断することなく直接再生紙または再生製品の原材料することができるので、容易に、良質な再生紙または再生製品を製造することが可能となる。
【００１７】
また、上記古紙解繊装置は、上記制御手段が、上記収容部に収容される古紙の種類、組み合わせ、及び重さに基づいて回転時間及び上記水の量を制御するように構成してもよい。
これにより、更に効率良く古紙を解繊することが可能となる。
【００１８】
また、上記古紙解繊装置は、上記収容部の内側面に、所定長の突起物を設けるように構成してもよい。
また、上記古紙解繊装置は、上記収容部の内側面に、おわん型部材または円錐型部材が設けられているように構成してもよい。
【００１９】
これにより、古紙が浮き上がり回転羽が空転するのを防止し、効率良く古紙を解繊することが可能となる。
また、上記古紙解繊装置は、上記収容部に設けられる蓋に、１つ以上の孔が設けられているように構成してもよい。
【００２０】
これにより、蓋を開けることなく収容部内の様子を見ることが可能となる。また、外側から孔に棒を通すことができるので、例えば、収容部内で古紙が上昇し、蓋のあたりで偏ってかたまる場合は、古紙を棒で押し下げることができ、効率良く古紙を解繊することが可能となる。
【００２１】
また、蓋の裏面に古紙を押し下げるための機構を備えるようにしてもよい。
また、上記古紙解繊装置は、上記おわん型部材または円錐型部材の内側面に所定長の突起物が設けられる構成としてもよい。
また、上記古紙解繊装置の回転羽は、上記収容部の内側側面と上記複数の羽の先端部分とに所定の大きさの隙間があくように、形成されるように構成してもよい。
【００２２】
これにより、回転羽にひっかかる古紙の量を低減することができるので、回転羽にかかる負担を低減することができ、回転羽の寿命を延ばすことが可能となる。
また、上記古紙解繊装置は、上記複数の羽が、上記回転羽の中心より外方に至るにつれて広がるように、形成されるように構成してもよい。
【００２３】
これにより、回転羽の回転動作による作用で収容部の内側側面付近に集中する古紙を効率よく粉砕することが可能となる。
また、上記古紙解繊装置の回転羽が、上記収容部に２つ以上設けられるように構成してもよい。
【００２４】
これにより、各回転羽にかかる負荷を低減させることができるので、回転羽の寿命を延ばすことができる。
また、上記古紙解繊装置は、上記収容部に設けられる蓋の内側面に、上記回転羽を１つ以上設けるように構成してもよい。
【００２５】
これにより、収容部の内側側面のみに回転羽が設けられる構成の場合に比べて、より効率的に古紙を解繊することが可能となる。
また、上記古紙解繊装置は、上記収容部の内側側面に１つ以上の上記回転羽が設けられるように構成してもよい。
【００２６】
これにより、回転羽の回転動作による作用で収容部の内側側面付近に集中する古紙を効率よく解繊（粉砕）することが可能となる。
また、上記古紙解繊装置は、上記収容部に設けられ、該収容部の外側から該収容部の内部の様子が観察することが可能な表示手段を備えるように構成してもよい。
【００２７】
これにより、古紙を所望の解繊状態とすることができる。
また、上記古紙解繊装置は、上記収容部の内部を明るくさせる照明手段を備えるように構成してもよい。
これにより、収容部内の様子を更に明瞭に確認することが可能となる。
【００２８】
また、上記古紙解繊装置の収容部は、該収容部の底面の中心点と該収容部の開口部の中心点とを結ぶ軸と、地面に対して垂直な軸とからなる角度が所定角度を有して構成してもよい。
これにより、収容部の下方側に集中して古紙がたまるので、効率よく古紙を解繊することが可能となる。
【００２９】
また、上記古紙解繊装置の収容部は、複数の収容部からなり、該複数の収容部の内の所定の収容部で解繊された古紙を該所定の収容部とは別の収容部で解繊するように構成してもよい。
これにより、回転羽にかかる全体的な負担を分散することができるので、各回転羽の負担を低減することができ、各回転羽の寿命を延ばすことが可能となる。
【００３０】
また、本発明の古紙解繊装置は、古紙を繊維素材に解繊する古紙解繊装置であって、上記古紙を収容し、側面が所定の回転速度で回転する収容部と、上記収容部の内側に設けられる１つ以上の突起部材と、古紙を解繊して繊維化可能であって、且つ、解繊後の繊維素材を圧縮しても廃液がでない範囲内の量の水を上記収容部に注入する注入手段と、上記収容部に収容される古紙の種類、組み合わせ、及び重さに基づいて上記収容部の側面の回転速度を制御する制御手段とを備えることを特徴とする。
【００３１】
このような構成においても、回転羽を回転させることによって古紙を解繊させる古紙解繊装置と同様に、所望の解繊状態に古紙を解繊することができる。
また、本発明の古紙解繊装置は、古紙を繊維素材に解繊する古紙解繊装置であって、上記古紙を収容し、蓋が所定の回転速度で回転する収容部と、上記収容部の蓋の内側面に設けられる１つ以上の突起部材と、古紙を解繊して繊維化可能であって、且つ、解繊後の繊維素材を圧縮しても廃液がでない範囲内の量の水を上記収容部に注入する注入手段と、上記収容部に収容される古紙の種類、組み合わせ、及び重さに基づいて上記収容部の蓋の回転速度を制御する制御手段とを備えることを特徴とする。
【００３２】
このような構成においても、回転羽を回転させることによって古紙を解繊させる古紙解繊装置と同様に、所望の解繊状態に古紙を解繊することができる。
また、本発明の古紙繊維素材利用システムは、古紙を繊維素材に解繊する解繊装置の貸し出し先であるユーザの備える端末装置と、上記繊維素材から再生品を生成する再生手段と、上記解繊装置における古紙の解繊作業を監視する監視手段と、該監視手段の監視内容を示す監視データをネットワークを介して上記監視手段から受信し、記録する管理手段と、該管理手段で記録される監視データを上記ネットワークを介して上記端末装置に送信する送信手段とを備え、上記解繊装置は、古紙を解繊して繊維化可能であって、且つ、解繊後の繊維素材を圧縮しても廃液がでない範囲内の量の水を使用して、上記古紙を繊維素材に解繊することを特徴とする。
【００３３】
これにより、ユーザは、機密書類等の古紙の解繊作業を、通常の業務を行いながらでも容易に行うことが可能となる。
また、上記古紙解繊装置の回転羽は、中心からそれぞれ同一直線方向に伸びる２枚の羽を有し、該２枚の羽のそれぞれの上に、上記回転羽が回転することにより上記古紙と衝突し上記古紙を粉砕する粉砕板が設けられる構成としてもよい。
【００３４】
このような構成においても、回転羽を回転させることによって古紙を所望の解繊状態に解繊することができる。
また、上記古紙解繊装置の粉砕板は、上記２枚の羽の上に垂直に設けられ、上記直線方向と直交する方向、及び、上記２枚の羽に対して上方向に広がるように形成されてもよい。
【００３５】
このような構成においても、回転羽を回転させることによって古紙を所望の解繊状態に解繊することができる。
また、上記古紙解繊装置の回転羽は、上記２枚の羽の上に、上記粉砕板よりも高く、且つ、細長い突起部材が設けられてもよい。
【００３６】
このような構成においても、回転羽を回転させることによって古紙を所望の解繊状態に解繊することができる。
また、上記古紙解繊装置の回転羽は、回転すると共に、上記収容部に対して上下方向に移動するように構成してもよい。
【００３７】
これにより、回転羽の回転により上昇してしまう古紙も解繊することができ、収容部に入れられた全ての古紙を効率良く解繊することができる。
また、上記古紙解繊装置の収容部に設けられる蓋は、上記回転羽の回転中に、上記収容部に対して上下方向に移動するように構成してもよい。
【００３８】
これにより、回転羽の回転により上昇してしまう古紙も解繊することができ、収容部に入れられた全ての古紙を効率良く解繊することができる。
また、上記古紙解繊装置は、上記収容部の外周に設けられ所定の温度の熱を発生させる発熱部と、該発熱部が発生させる熱の温度を調整する調整部とを備えるように構成してもよい。
【００３９】
これにより、良好に古紙を解繊することができる。
また、本発明の古紙解繊装置は、古紙を繊維状に解繊する古紙解繊装置であって、前記古紙全体に所定量の水分を供給する供給部と、前記供給部で所定量の水分が含まれた古紙を収容し、前記供給部で所定量の水が含まれた古紙を繊維状に解繊させる回転羽を有する第１の収容部と、前記回転羽の回転動作を制御する制御部と、前記第１の収容部の下方または横方向に設けられ、前記回転羽により繊維状に解繊された古紙を収容する第２の収容部と、前記第１の収容部と前記第２の収容部とを仕切る壁に設けられ、前記回転羽により繊維状に解繊された古紙が通る大きさの孔とを備えることを特徴とする。
【００４０】
これにより、第１の収容部で解繊された古紙を、その第１の収容部の下方に備えられる第２の収容部に収容することができるので、解繊された古紙を横に移動させる従来の古紙解繊装置よりも装置全体を小型化することができる。
また、供給部により古紙全体に所定量の水分を含ませることができるので、繊維状にできない部分を作ることなく古紙全体を繊維状に解繊することができ、機密性を高めることができる。
【００４１】
また、供給部により古紙全体に所定量の水分を含ませることができるので、従来、古紙に水分を含ませずに解繊することによって発生していた紙粉、静電気、または騒音の発生を防止することができる。
また、上記古紙解繊装置の供給部は、前記古紙の一方の面と接し、所定の方向に回転することにより前記古紙を前記第１の収容部に送り出す第１の円柱形部材と、前記古紙の他方の面と接し、前記第１の円柱形部材の回転方向と反対方向に回転することにより前記古紙を前記第１の収容部に送り出す第２の円柱形部材とを備え、前記供給部は、前記第１の円柱形部材及び前記第２の円柱形部材の少なくとも一方に前記所定量の水を供給するように構成してもよい。
【００４２】
このように構成しても、古紙解繊装置全体を小型化することができると共に、機密性を高め、解繊時の紙粉、静電気、または騒音の発生を防止することができる。
また、上記古紙解繊装置の供給部は、前記第１の円柱形部材及び前記第２の円柱形部材の両方に前記所定量の水を供給するように構成してもよい。
【００４３】
このように構成しても、古紙解繊装置全体を小型化することができると共に、機密性を高め、解繊時の紙粉、静電気、または騒音の発生を防止することができる。
また、上記古紙解繊装置は、前記第１の収容部と前記第２の収容部とを仕切る壁に設けられ、前記孔を開閉させる開閉部を備えるように構成してもよい。
【００４４】
これにより、全ての古紙が完全に繊維状となるまで、第１の収容部に古紙を収容させておくことができるので、更に機密性を高めることができる。
また、上記古紙解繊装置は、解繊前の複数の前記古紙を収容する第３の収容部と、前記第３の収容部から前記供給部に所定時間間隔で前記古紙を送り出す送出部とを備えるように構成してもよい。
【００４５】
これにより、供給部に古紙を送り出す工程を人手を介すことなく行うことができる。
また、上記古紙解繊装置の供給部は、前記古紙の一方の面と接し、所定の方向に回転することにより前記古紙を前記第１の収容部に送り出す第１の円柱形部材と、前記古紙の他方の面と接し、前記第１の円柱形部材の回転方向と反対方向に回転することにより前記古紙を前記第１の収容部に送り出す第２の円柱形部材と、前記第１の円柱形部材及び前記第２の円柱形部材で送り出される前記古紙に前記所定量の水を霧状にして吹き付ける霧吹部とを備えるように構成してもよい。
【００４６】
このように構成しても、古紙解繊装置全体を小型化することができると共に、機密性を高め、解繊時の紙粉、静電気、または騒音の発生を防止することができる。
また、上記古紙解繊装置の第１の収容部は、所定の角度で傾けられて構成されてもよい。
【００４７】
このように構成しても、古紙解繊装置全体を小型化することができると共に、機密性を高め、解繊時の紙粉、静電気、または騒音の発生を防止することができる。
また、上記古紙解繊装置の回転羽は、前記第１の収容部の側面に設けられて構成されてもよい。
【００４８】
このように構成しても、古紙解繊装置全体を小型化することができると共に、機密性を高め、解繊時の紙粉、静電気、または騒音の発生を防止することができる。
また、上記古紙解繊装置は、前記第１の円柱形部材の側面に、等間隔に並ぶ円形状の複数の刃が設けられ、前記第２の円柱形部材の側面に、前記複数の刃と対応する複数の溝が設けられように構成されてもよい。
【００４９】
これにより、第２の収容部に収容される前に古紙を所定の大きさに裁断させることができるので、回転羽にかかる負担を低減することができ、回転羽の寿命を延ばすことができる。
また、上記古紙解繊装置は、前記第１の円柱形部材の側面に、複数の凸部が設けられ、前記第２の円柱形部材の側面に、前記複数の凸部に対応する複数の凹部が設けられるように構成されてもよい。
【００５０】
これにより、古紙が第１の収容部に収容される前に古紙に複数の孔を空けることができるので、古紙を早く解繊することができると共に、回転羽にかかる負担を低減することができ、回転羽の寿命を延ばすことができる。
また、上記古紙解繊装置の制御部は、同軸上に備えられる複数の前記回転羽の回転動作を制御するように構成してもよい。
【００５１】
これにより、更に、効率良く古紙を繊維状に解繊することができると共に、１つの回転羽にかかる負担を低減することができるので、回転羽の寿命を延ばすことができる。
また、上記古紙解繊装置の供給部は、前記古紙の一方の面と接し、所定の方向に回転することにより前記古紙を前記第１の収容部に送り出す第３の円柱形部材と、前記古紙の他方の面を押さえる押え板とを備え、前記第３の円柱形部材は、側面に複数のスパイク形状部材が設けられて構成されてもよい。
【００５２】
これにより、第１の収容部に収容される前に古紙に複数の孔を空けることができるので、古紙を早く解繊することができると共に、回転羽にかかる負担を低減することができ、回転羽の寿命を延ばすことができる。
また、上記古紙解繊装置の第１の収容部は、内側側面に１つ以上の突起物が設けられて構成されてもよい。
【００５３】
これにより、水分を含んだ古紙を第１の収容部の内側に張り付かないようにすることができる。
また、上記古紙解繊装置の第１の収容部は、内側側面に螺旋状の溝が設けられて構成されてもよい。
【００５４】
これにより、水分を含んだ古紙を第１の収容部の内側に張り付かないようにすることができる。
また、上記古紙解繊装置の第１の収容部は、内側側面に縦方向または横方向の溝が設けられて構成されてもよい。
【００５５】
これにより、水分を含んだ古紙を第１の収容部の内側に張り付かないようにすることができる。
また、上記古紙解繊装置の収容部は、前記２つ以上の回転羽の各回転径に沿った側面を有する柱部材を備えるように構成してもよい。
【００５６】
これにより、収容部の内側側面に解繊されない古紙が残ることがなくなり、大量の古紙を効率良く解繊させることができる。
また、上記古紙解繊装置の回転羽は、回転軸上に円柱部材が設けられ、該円柱部材の側面に棒状部材が設けられて構成されてもよい。
【００５７】
これにより、騒音を抑えつつ、更に古紙を効率良く解繊することができる。
また、上記古紙解繊装置の回転羽は、回転軸上に円柱部材が設けられ、該円柱部材の側面に紐部材が設けられて構成されてもよい。
これにより、騒音を抑えつつ、更に古紙を効率良く解繊することができる。
【００５８】
また、上記古紙繊維素材利用システムの再生手段は、前記繊維素材を所定の形に成形された半割の青竹のような半円筒体、半角筒体その他の半筒体又は半割りにしない青竹のような円筒体、角筒体その他の筒体に入れ、垂直緑化、つり下げ緑化その他の緑化に、前記繊維素材を培用土として利用するようにしてもよい。
【００５９】
このように、繊維素材を培用土として利用することにより、土を使用しないで植物を植えることができ、更に、その培用土は筒体等からこぼれることがないので、低コストで屋上のガーデニング、垂直緑化、または、吊り下げ緑化を実現することができる。
また、上記古紙繊維素材利用システムの再生手段は、前記繊維素材とホウ素、防燃材、難燃材その他の素材とを混合して難燃性繊維素材を形成し、該難燃性繊維素材を難燃加工された箱、袋その他の容器に充填し、断熱材を形成するようにしてもよい。
【００６０】
これにより、軽量で安価な断熱材を構成することができる。
また、上記古紙繊維素材利用システムの再生手段は、前記繊維素材に水または液肥を染み込ませ、剣山としての培用土を生成するようにしてもよい。
これにより、低コストで屋上のガーデニング、垂直緑化、または、吊り下げ緑化を実現することができる。
【００６１】
また、本発明の古紙繊維素材利用システムは、古紙を解繊して繊維化可能であって、且つ、解繊後の繊維素材を圧縮しても廃液がでない範囲内の量の水を使用して、前記古紙を繊維素材に解繊する解繊手段と、ユーザの指示に従って前記繊維素材から再生品を生成する再生手段と、前記解繊手段における古紙の解繊作業及び前記再生手段における再生品の生成作業を監視し記録する監視手段と、前記監視手段で記録された監視内容をネットワークを介してユーザが備える端末装置に送信する送信手段とを備えることを特徴とする。
【００６２】
これにより、ユーザは希望とする再生品を古紙から容易に生成することが可能となる。
【発明の効果】
【００６３】
以上、本発明の古紙繊維素材利用システムによれば、例えば、従来の事業所等で発生する使用済みコピー用紙を、古紙１対水０．６〜１．０の割合の水を使用して解繊することにより、シュレッダー等で裁断することなく直接再生紙または再生製品の原材料として利用することができるので、古紙から再生紙または再生製品までの製造工程を簡略化することができる。これにより、低コストで、且つ、良質な再生紙または再生製品を製造することが可能となる。
【００６４】
また、本発明の古紙解繊装置によれば、３分間程度動作させることにより、古紙が判読不可能な状態となり、情報の漏洩の防止となる。また、６分間程度動作させることにより、古紙を繊維状に解繊することができ、１０分間程度以上動作させることにより、古紙をセルロース状に解繊することができる。
【００６５】
また、本発明の古紙解繊装置によれば、古紙解繊装置の解繊時の紙粉や静電気や騒音の発生をおさえ、機密性を高め、早く解繊することができる。
【発明を実施するための最良の形態】
【００６６】
以下、本発明の実施の形態を図面を用いて説明する。
図１は、本発明の実施形態の古紙繊維素材利用システムを示す図である。
図１に示す古紙繊維素材利用システム１０は、複数の事業所１２（１２−１、１２−２、１２−３、・・・）と、事業所１２内で発生する使用済みコンピュータ用紙、コピー用紙、ファックス用紙、新聞紙、チラシ、パンフレット、雑誌、ボール紙、段ボール等の古紙１１−１を繊維素材１１−２に解繊する古紙解繊装置１３と、古紙解繊装置１３の販売、レンタル、メンテナンス等を行う装置取扱所１４と、繊維素材１１−２を原材料として再生紙１１−３を製造する製紙工場１５と、繊維素材１１−２を原材料として断熱材や緩衝材等の再生製品１１−４を製造する再生製品工場１６とから構成されている。尚、上記古紙繊維素材利用システム１０は、上記装置取扱所１４が繊維素材１１−２を製紙工場１５や再生製品工場１６等に搬送する構成としてもよいし、図示されていない搬送会社が繊維素材１１−２を製紙工場１５または再生製品工場１６等に搬送する構成としてもよい。また、図１に示す繊維素材１１−２は、所定の梱包用の箱または袋に詰められた状態を示している。
【００６７】
次に、古紙繊維素材利用システム１０において古紙１１−１から再生紙１１−３または再生製品１１−４が製造されるまでの流れを説明する。
図２は、古紙１１−１から再生紙１１−３または再生製品１１−４が製造されるまでの流れを説明するためのフローチャートである。
【００６８】
まず、ステップＳ１において、事業所１２は、予め装置取扱所１４から古紙解繊装置１３を購入またはレンタルしておく。このとき、例えば、装置取扱所１４のメンテナンス担当者は、定期的に各事業所１２へ行き古紙解繊装置１３のメンテナンスのサービスを行う。また、装置取扱所１４の搬送担当者は、繊維素材１１−２の搬送等のサービスを行う。また、古紙解繊装置１３の販売価格やレンタル料金は、従来、各事業所１２が古紙を処分する際にかかっていた処分費用に応じた金額であることが望ましい。
【００６９】
次に、ステップＳ２において、事業所１２では、各フロアや各部署等から出される古紙１１−１を収集し、所定の収集場所にまとめる。このとき、例えば、事業所１２内に、予め古紙１１−１を解繊するためのみの作業場所を設けておき、その作業場所に古紙解繊装置１３を設置し、その作業場に各フロアや各部署等から収集した使用済みコピー用紙や新聞紙等の古紙１１−１を持っていくようにしてもよい。
【００７０】
そして、ステップＳ３において、古紙解繊装置１３は、回収された古紙１１−１を繊維状の繊維素材１１−２に解繊する。
そして、ステップＳ４において、繊維素材１１−２は、所定の段ボールや袋等に入れられて、装置取扱所１４または搬送会社により製紙工場１５または再生製品工場１６に搬送される。
【００７１】
そして、ステップＳ５において、製紙工場１５は、繊維素材１１−２から厚紙、コピー用紙、ノート、レポート用紙、トイレットペーパー、紙おむつ、ティッシュペーパー等の再生紙１１−３を製造し、再生製品工場１６は、繊維素材１１−２と所定の添加物とを混合することにより置物、園芸用の土壌、鉄道用の枕木、断熱材、不燃材、植物用培地、排煙フィルター、廃油フィルター、または油吸着材等の再生製品１１−４を製造する。また、繊維素材１１−２の材質をそのまま利用して、緩衝材を形成させてもよい。尚、繊維素材１１−２から再生紙１１−３を製造する場合は、繊維素材１１−２を脱色する工程や漂白する工程等を設けるのが望ましい。また、繊維素材１１−２から再生製品１１−４を製造する場合で繊維素材１１−２にインク等が混ざっていてもよい場合は、繊維素材１１−２と添加物とを混合する工程だけでよい。
【００７２】
すなわち、例えば、繊維素材１１−２とセメントや石膏とを混合することにより、建築用壁材、置物、入れ物、額縁、人工大理石、防音材、または植物用培地等を製造することができる。なお、繊維素材１１−２を利用して植物用培地を製造する場合は、繊維素材１１−２にセメントや石膏を混合させずに、繊維素材１１−２をそのまま植木鉢等に入れ土壌の代わりに使用してもよい。この場合、繊維素材１１−２に肥料等を混ぜることで植物の生長を促進させることができる。
【００７３】
このように、繊維素材１１−２を利用して植物用培地を製造する場合、その植物用培地は、一般的に植物用培地として利用される土壌等と比べ、軽く、保水性や通気性がよい。また、繊維素材１１−２を利用した植物用培地は、繊維同士が絡み合っているために、水をかけても土壌のように植木鉢等から流れ出すことなく、また、風により飛散しないという効果がある。そのため、繊維素材１１−２を利用した植物用培地は、建物が密集する地域の建物の屋上やベランダ等の特殊な場所で使用しても周囲に迷惑をかけることなく使用することができる。
【００７４】
また、繊維素材１１−２とゴムとを混合することにより、緩衝材を製造することができる。
また、繊維素材１１−２と糊材、充填材、セラミック粉末、炭粉末、砂質土壌の改良材等と混合することにより園芸用の土壌を製造することができる。
【００７５】
また、繊維素材１１−２と銅線、鉄線、セメント等とを混合することにより鉄道用の枕木を製造することができる。
また、繊維素材１１−２と無機質粉体（石膏や炭酸カルシウム、ホウ素系、炭酸マグネシウム、シリカ、アルミナ、ゼオライト等の難燃材）とを混合することにより断熱材、不燃材、防臭材、防腐材、または防朽材を製造することができる。
【００７６】
また、繊維素材１１−２と調湿材とを混合してもよい。
また、繊維素材１１−２に添加物を混ぜない場合は、緩衝材、廃油、排煙、水蒸気、ディーゼル車の粒子物質等を除去するためのフィルター、油吸着材、または炭化材として使用することができる。尚、繊維素材１１−２に添加物を加えず、そのまま利用する場合は、繊維素材１１−２をこすり合わせながら圧力を加えることにより、効率良く繊維素材１１−２をしっかり固めることが可能となる。また、繊維素材１１−２をそのまま利用する場合は、液体または気体に含まれる不純物を取り除くためのフィルターとして使用することができる。また、繊維素材１１−２をフィルターとして使用する場合は、その繊維素材１１−２に、そば殻、落花生の殻、または籾殻等の穀物の殻やパラフィンと混ぜてもよい。このように、繊維素材１１−２をフィルターとして使用する場合に、その繊維素材１１−２に穀物の殻やパラフィンをまぜることにより、穀物の殻やパラフィンが繊維素材１１−２の凝縮化を防止し、油分を吸収しながら水だけを通すことができる。また、このような繊維素材１１−２を利用したフィルターを下水道管のフィルターして使用することにより、下水道管が詰まることなく、油分等の廃棄物を下水から分離させることができる。
【００７７】
また、繊維素材１１−２と草や杉皮等の植物繊維とを混合し、更に、ホウ酸やゼオライト等を混合することにより、建築材料としての断熱材、吸音材、または防火材を製造することができる。
また、繊維素材１１−２を造粒機で粒状に形成してもよい。
【００７８】
また、繊維素材１１−２と所定の色の顔料とを混合することにより、繊維素材１１−２を様々な色にすることができる。
また、上記添加物以外の添加物及び上記添加物を複合したものと繊維素材１１−２とを混合することにより、さまざまな再生製品１１−４を製造することができる。
【００７９】
次に、上記古紙解繊装置１３の構造について説明する。
図３は、古紙解繊装置１３の構造を説明するための図であり、図３（ａ）は、古紙解繊装置１３の外観斜視図であり、図３（ｂ）は、古紙解繊装置１３を矢印Ａ方向から見たときの古紙解繊装置１３の断面図である。
【００８０】
図３（ａ）において、古紙解繊装置１３は、本体部１３−１と、外蓋１３−２と、電源スイッチ１３−３と、スタートスイッチ１３−４とから構成されている。また、図３（ｂ）において、本体部１３−１は、古紙１１−１を収容するためのタンク１３−５と、外蓋１３−２とタンク１３−５との間に設けられる内蓋１３−６と、中心から伸びる４つの羽を備え、回転することにより古紙１１−１が該４つの羽に当ることで古紙１１−１を粉砕させる回転羽１３−７と、タンク１３−５の下方部に設けられ、タンク１３−５に入れられる古紙１１−１の重さを計量するセンサ１３−８と、センサ１３−８の計量結果に基づいて、タンク１３−５に所定の重さの水を注入する水注入手段１３−９と、回転羽１３−７をベルト１３−１０を介して回転駆動させるためのモータ１３−１１と、モータ１３−１１の回転速度を制御する制御手段１３−１２と、内蓋１３−６の内側に設けられる所定長（例えば、５ｃｍ程度）の突起物１３−１３とから構成される。
【００８１】
尚、外蓋１３−２は、矢印方向に可動し、内蓋１３−６は、嵌め込み式となっている。また、回転羽１３−７が回転することにより古紙１１−１が上昇しても、突起物１３−１３により古紙１１−１を落下させ、古紙１１−１を効率良く解繊することができる。また、制御手段１３−１２は、古紙１１−１の種類、組み合わせ、及び重さに基づいて、回転速度、回転時間、及び注入する水量を制御するように構成してもよい。このとき、古紙１１−１の種類及び組み合わせは、古紙解繊装置１３の操作者が予め不図示の入力手段により制御手段１３−１２に入力され、その入力結果に基づいて、制御手段１３−１２が回転速度または回転時間を制御するように構成してもよい。また、水注入手段１３−９は、水を噴射してタンク１３−５に注入してもよい。
【００８２】
また、図４（ａ）に示すように、内蓋１３−６は、その内蓋１３−６の下方におわん型部材１３−１４が設けられる構成としてもよい。
図４（ｂ）は、内蓋１３−６におわん型部材１３−１４が設けられるものを下方から見た図であり、図４（ｃ）は、横から見た図である。
【００８３】
内蓋１３−６とおわん型部材１３−１４は、溶接により接合してもよいし、ボルト等で接合してもよい。
また、図４（ｂ）及び（ｃ）に示すように、内蓋１３−６に直径１５〜２５φの孔１３−１５を２つ設けるようにしてもよい。尚、孔１３−１５の数は、特に限定されない。このように、内蓋１３−６に孔１３−１５を設けることにより、蓋を開けることなく収容部内の様子を見ることが可能となる。また、外側から孔１３−１５に棒等を通すことができるので、例えば、収容部内で古紙１１−１が上昇して回転羽１３−７に古紙１１−１が当らなくなる場合は、古紙を棒で押し下げることができ、効率良く古紙を解繊することが可能となる。また、上昇する古紙１１−１を自動的に押し下げる機構を内蓋１３−６に備えるように構成してもよい。
【００８４】
また、図４（ｄ）に示すように、内蓋１３−６は、その内蓋１３−６の下方に円錐型部材１３−１６が設けられる構成としてもよい。そして、内蓋１３−６及び円錐型部材１３−１６の所定箇所に孔１３−１５が設けられていることが望ましい。
また、おわん型部材１３−１４または円錐型部材１３−１６のみをタンク１３−５の内蓋として使用してもよい。
【００８５】
また、おわん型部材１３−１４または円錐型部材１３−１６を自動的に上下動させるための機構を設け、上昇する古紙１１−１を押し下げるように構成してもよい。
また、図５（ａ）〜（ｃ）は、図４の円錐型部材１３−１６とは異なる形状の円錐型部材１３−１６を示す図である。
【００８６】
まず、図５（ａ）に示す円錐型部材１３−１６は、内蓋１３−６から下方（図５において下向き）に至るにつれて、内蓋１３−６の中心から外側に広がる形状であり、その側面は、なだらかな曲面状となっている。
また、図５（ｂ）に示す円錐型部材１３−１６は、部材内部の側面に１つ以上の突起物１３−１７を有している。そして、この突起物１３−１７に、古紙解繊装置１３が駆動することによって上昇する古紙が衝突することにより、その上昇する古紙を下方（図５において下向き）に押し下げることができる。
【００８７】
また、図５（ｃ）に示す円錐型部材１３−１６は、内部上面に突起物１３−１８を有している。そして、この突起物１３−１８に、古紙解繊装置１３が駆動することによって上昇する古紙が衝突することにより、その上昇する古紙を下方（図５において下向き）に押し下げることができる。
【００８８】
また、上記古紙解繊装置１３では、外側からタンク１３−５内の様子を確認することが可能な孔１３−１５が内蓋１３−６に設けられているが、タンク１３−５内部の様子を古紙解繊装置１３（タンク１３−５）の外側から確認することが可能であれば、孔１３−５は古紙解繊装置１３（タンク１３−５）においてどこに設けられてもよい。
【００８９】
また、孔１３−５には、解繊中の古紙がその孔１３−５から飛び出さないようにするために、ガラス板等の透明な板を取り付けるように構成してもよい。
また、古紙解繊装置１３の外側からタンク１３−５内の様子を確認するための撮像装置（例えば、ビデオカメラ等）を古紙解繊装置１３に設けるように構成してもよい。
【００９０】
そして、古紙解繊装置１３にタンク１３−５内の様子を確認するための孔や撮像装置を備える場合、タンク１３−５内の様子を更に明瞭に確認できるようにするためにタンク１３−５内に照明装置を取り付けるように構成してもよい。
このように、孔１３−５や撮像装置等タンク１３−５内部を観察するための表示手段を古紙解繊装置１３（タンク１３−５）に備えることにより、古紙の解繊状態を所望の状態となるようにすることができる。
【００９１】
ここで、図６（ａ）は、回転羽１３−７を上から見た図であり、図６（ｂ）は、回転羽１３−７を横から見た図である。
図６（ａ）及び（ｂ）に示す回転羽１３−７は、４つの羽１３−７ａ〜１３−７ｄを備えている。そして、回転羽１３−７が回転することにより、この４つの羽１３−７ａ〜１３−７ｄの上部または下部に古紙１１−１が当り、古紙１１−１を繊維状に解繊する。尚、回転羽１３−７は、鉄、ステンレス、アルミ、その他の合金等特に材質は限定されない。また、回転羽１３−７の羽の数は、２つ以上有していれば、限定されない。
【００９２】
また、各羽１３−７ａ〜１３−７ｄの中心側の上部（図６（ｂ）に示す範囲Ｂの部分）は、水平面（図６の紙面水平方向）から６０度の角度を持った傾斜となっている。また、各羽１３−７ａ〜１３−７ｄの外側の側面部（図６（ｂ）に示す範囲Ｃの部分）は、垂直面（図６の紙面垂直方向）から１５度の角度を持った傾斜となっている。尚、各羽１３−７ａ〜１３−７ｄに設けられた傾斜角度６０度及び１５度は、一例であって、古紙が引っかからずに羽がスムーズに回転可能であって、且つ、十分な解繊作用の得られる角度であれば、これらの傾斜角度は、どのような範囲内に設定されてもよい。
【００９３】
このように、各羽１３−７ａ〜１３−７ｄの中心側の上部が所定の角度でカットされているので、古紙１１−１が回転し、古紙１１−１に遠心力が生じて外側に引っ張られても、その部分に古紙１１−１が引っ掛からないので、効率良く古紙１１−１を解繊することができる。また、各羽１３−７ａ〜１３−７ｄの外側の側面部が所定の角度でカットされているので、各羽１３−７ａ〜１３−７ｄとタンク１３−５の側面部との間に古紙１１−１がたまっても、回転羽１３−７が停止しなくなる。
【００９４】
また、図７（ａ）は、他の形状の回転羽１３−７を上から見た図であり、図７（ｂ）は、他の形状の回転羽１３−７を横から見た図である。
図７（ａ）及び（ｂ）に示す回転羽１３−７は、４つの羽１３−７ｅ〜１３−７ｈを備えている。そして、回転羽１３−７が回転することにより、この４つの羽１３−７ｅ〜１３−７ｈに古紙１１−１が当り、古紙１１−１を繊維状に解繊する。尚、回転羽１３−７は、鉄、ステンレス、アルミ、その他の合金等特に材質は限定されない。また、回転羽１３−７の羽の数は、２つ以上有していれば、限定されない。
【００９５】
また、各羽１３−７ｅ〜１３−７ｈの中心側の上部（図７（ｂ）に示す範囲Ｄの部分）は、水平面に対して６０度の角度を持った傾斜となっている。また、各羽１３−７ｅ〜１３−７ｈの外側の側面部（図７（ｂ）に示す範囲Ｅの部分）は、垂直面に対して１５度の角度を持った傾斜となっている。尚、各羽１３−７ｅ〜１３−７ｈに設けられた傾斜角度６０度及び１５度は、一例であって、古紙が引っかからずに羽がスムーズに回転可能であって、且つ、十分な解繊作用の得られる角度であれば、これらの傾斜角度は、どのような範囲内に設定されてもよい。また、各羽１３−７ｅ〜１３−７ｈの中心側の上部が水平面に対して６０度の角度を保ち、また、側面部が垂直面に対して１５度の角度を保っていれば、各羽１３−７ｅ〜１３−７ｈの羽の大きさ（高さ）は限定されない。
【００９６】
このように、各羽１３−７ｅ〜１３−７ｈの中心側の上部が所定の角度でカットされているので、古紙１１−１が回転し、古紙１１−１に遠心力が生じて外側に引っ張られても、その部分に古紙１１−１が引っ掛からないので、効率良く古紙１１−１を解繊することができる。また、各羽１３−７ｅ〜１３−７ｈの外側の側面部が所定の角度でカットされているので、各羽１３−７ｅ〜１３−７ｈとタンク１３−５の側面部との間に古紙１１−１がたまっても、回転羽１３−７が停止しなくなる。
【００９７】
また、図８（ａ）は、他の形状の回転羽１３−７を上から見た図であり、図８（ｂ）は、他の形状の回転羽１３−７を横から見た図である。
図８（ａ）及び（ｂ）に示す回転羽１３−７は、４つの羽１３−７ｉ〜１３−７ｌを備えている。そして、回転羽１３−７が回転することにより、この４つの羽１３−７ｉ〜１３−７ｌに古紙１１−１が当り、古紙１１−１を繊維状に解繊する。尚、回転羽１３−７は、鉄、ステンレス、アルミ、その他の合金等特に材質は限定されない。また、回転羽１３−７の羽の数は、２つ以上有していれば、限定されない。
【００９８】
また、各羽１３−７ｉ〜１３−７ｌの中心側の上部（図８（ｂ）に示す範囲Ｆの部分）は、水平面に対して６０度の角度を持った略曲線状の傾斜となっている。また、各羽１３−７ｉ〜１３−７ｌの外側の側面部（図８（ｂ）に示す範囲Ｇの部分）は、垂直面に対して１０度の角度を持った傾斜となっている。尚、各羽１３−７ｉ〜１３−７ｌに設けられた傾斜角度６０度及び１０度は、一例であって、古紙が引っかからずに羽がスムーズに回転可能であって、且つ、十分な解繊作用の得られる角度であれば、これらの傾斜角度は、どのような範囲内に設定されてもよい。また、各羽１３−７ｉ〜１３−７ｌの中心側の上部が水平面に対して６０度の角度を保ち、また、側面部が垂直面に対して１５度の角度を保っていれば、各羽１３−７ｉ〜１３−７ｌの羽の大きさ（高さ）は限定されない。
【００９９】
また、各羽１３−７ｉ〜１３−７ｌの端部は、図８（ａ）に示すように、１５度にカットされている。
このように、各羽１３−７ｉ〜１３−７ｌの中心側の上部が所定の角度で、且つ、曲線を描くようにカットされているので、古紙１１−１が回転し、古紙１１−１に遠心力が生じて外側に引っ張られても、その部分に古紙１１−１が引っ掛からないので、効率良く古紙１１−１を解繊することができる。また、各羽１３−７ｉ〜１３−７ｌの外側の側面部が所定の角度でカットされているので、各羽１３−７ｉ〜１３−７ｌとタンク１３−５の側面部との間に古紙１１−１がたまっても、回転羽１３−７が停止しなくなる。また、各羽１３−７ｉ〜１３−７ｌが、回転羽１３−７の中心点より外方に至るにつれて広がるように形成されているので、回転羽１３−７の回転動作による作用で収容部の内側側面付近に集中する古紙を効率よく粉砕することが可能となる。
【０１００】
また、図９（ａ）は、他の形状の回転羽１３−７を上から見た図であり、図９（ｂ）は、他の形状の回転羽１３−７を横から見た図である。
図９（ａ）及び（ｂ）に示すように、回転羽１３−７は、４つの羽１３−７ｍ〜１３−７ｐを備えている。そして、回転羽１３−７が回転することにより、この４つの羽１３−７ｍ〜１３−７ｐに古紙１１−１が当り、古紙１１−１を繊維状に解繊する。尚、回転羽１３−７は、鉄、ステンレス、アルミ、その他の合金等特に材質は限定されない。また、回転羽１３−７の羽の数は、２つ以上有していれば、限定されない。
【０１０１】
また、各羽１３−７ｍ〜１３−７ｐの中心側の上部（図９（ｂ）に示す範囲Ｈの部分）は、水平面に対して６０度の角度を持った略曲線状の傾斜となっている。また、各羽１３−７ｍ〜１３−７ｐの外側の側面部（図９（ｂ）に示す範囲Ｉの部分）は、垂直面に対して１５度の角度を持った傾斜となっている。尚、各羽１３−７ｍ〜１３−７ｐに設けられた傾斜角度６０度及び１５度は、一例であって、古紙が引っかからずに羽がスムーズに回転可能であって、且つ、十分な解繊作用の得られる角度であれば、これらの傾斜角度は、どのような範囲内に設定されてもよい。また、各羽１３−７ｍ〜１３−７ｐの中心側の上部が水平面に対して６０度の角度を保ち、また、側面部が垂直面に対して１５度の角度を保っていれば、各羽１３−７ｍ〜１３−７ｐの羽の大きさ（高さ）は限定されない。
【０１０２】
また、各羽１３−７ｍ〜１３−７ｐの端部は、図９（ａ）に示すように、１５度にカットされている。
また、各羽１３−７ｍ〜１３−７ｐの端部外側の側面（図９（ｂ）に示す範囲Ｉの部分）は、タンク１３−５の内側側面に対してＶ字型にカットされている。
【０１０３】
このように、各羽１３−７ｍ〜１３−７ｐの外側の側面部がＶ字型にカットされているので、各羽１３−７ｍ〜１３−７ｐの外側の側面部に古紙がひっかかり難くなり、回転羽１３−７にかかる負荷を低減することができる。すなわち、回転羽にひっかかる古紙の量を低減することができるので、回転羽にかかる負担を低減することができ、回転羽の寿命を延ばすことが可能となる。
【０１０４】
そして、各羽１３−７ｍ〜１３−７ｐを有する回転羽１３−７は、各羽１３−７ｍ〜１３−７ｐの上部の端からタンク１３−５の内側側面までの距離が２５ｍｍ程度の間隔となるように、また、各羽１３−７ｍ〜１３−７ｐの下部の端からタンク１３−５の内側側面までの距離が１５ｍｍ程度の間隔となるように、タンク１３−５の底面部に設置されることが望ましい。
【０１０５】
このように、各羽１３−７ｍ〜１３−７ｐの中心側の上部が所定の角度でカットされているので、古紙１１−１が回転し、古紙１１−１に遠心力が生じて外側に引っ張られても、その部分に古紙１１−１が引っ掛からないので、効率良く古紙１１−１を解繊することができる。また、各羽１３−７ｍ〜１３−７ｐの外側の側面部が所定の角度でカットされているので、各羽１３−７ｍ〜１３−７ｐとタンク１３−５の側面部との間に古紙１１−１がたまっても、回転羽１３−７が停止しなくなる。また、各羽１３−７ｍ〜１３−７ｐが、回転羽１３−７の中心点より外方に至るにつれて広がるように形成されているので、回転羽１３−７の回転動作による作用で収容部の内側側面付近に集中する古紙を効率よく粉砕することが可能となる。
【０１０６】
また、図１０（ａ）は、他の形状の回転羽１３−７を上から見た図であり、図１０（ｂ）は、他の形状の回転羽１３−７を横から見た図である。
図１０（ａ）及び（ｂ）に示すように、回転羽１３−７は、４つの羽１３−７ｑ〜１３−７ｔを備えている。そして、回転羽１３−７が回転することにより、この４つの羽１３−７ｑ〜１３−７ｔに古紙１１−１が当り、古紙１１−１を繊維状に解繊する。尚、回転羽１３−７は、鉄、ステンレス、アルミ、その他の合金等特に材質は限定されない。また、回転羽１３−７の羽の数は、２つ以上有していれば、限定されない。
【０１０７】
また、各羽１３−７ｑ〜１３−７ｔの中心側の上部（図１０（ｂ）に示す範囲Ｊの部分）は、水平面に対して６０度の角度を持った傾斜となっている。また、各羽１３−７ｑ〜１３−７ｔの外側の側面部（図１０（ｂ）に示す範囲Ｋの部分）は、垂直面に対して１５度の角度を持った傾斜となっている。尚、各羽１３−７ｑ〜１３−７ｔに設けられた傾斜角度６０度及び１５度は、一例であって、古紙が引っかからずに羽がスムーズに回転可能であって、且つ、十分な解繊作用の得られる角度であれば、これらの傾斜角度は、どのような範囲内に設定されてもよい。また、各羽１３−７ｑ〜１３−７ｔの中心側の上部が水平面に対して６０度の角度を保ち、また、側面部が垂直面に対して１５度の角度を保っていれば、各羽１３−７ｑ〜１３−７ｔの羽の大きさ（高さ）は限定されない。
【０１０８】
また、各羽１３−７ｑ〜１３−７ｔの端部は、図１０（ａ）に示すように、１５度にカットされている。
また、各羽１３−７ｑ〜１３−７ｔの端部の側面（図１０（ｂ）に示す範囲Ｊの部分）は、タンク１３−５の内側側面に対してＶ字型にカットされている。
【０１０９】
このように、各羽１３−７ｑ〜１３−７ｔの外側の側面部がＶ字型にカットされているので、各羽１３−７ｑ〜１３−７ｔの外側の側面部に古紙がひっかかり難くなり、回転羽１３−７にかかる負荷を低減することができる。すなわち、回転羽にひっかかる古紙の量を低減することができるので、回転羽にかかる負担を低減することができ、回転羽の寿命を延ばすことが可能となる。
【０１１０】
そして、各羽１３−７ｑ〜１３−７ｔを有する回転羽１３−７は、各羽１３−７ｑ〜１３−７ｔの上部の端からタンク１３−５の内側側面までの距離が２５ｍｍ程度の間隔となるように、また、各羽１３−７ｑ〜１３−７ｔの下部の端からタンク１３−５の内側側面までの距離が１５ｍｍ程度の間隔となるように、タンク１３−５の底面部に設置されることが望ましい。
【０１１１】
このように、各羽１３−７ｑ〜１３−７ｔの中心側の上部が所定の角度でカットされているので、古紙１１−１が回転し、古紙１１−１に遠心力が生じて外側に引っ張られても、その部分に古紙１１−１が引っ掛からないので、効率良く古紙１１−１を解繊することができる。また、各羽１３−７ｑ〜１３−７ｔの外側の側面部が所定の角度でカットされているので、各羽１３−７ｑ〜１３−７ｔとタンク１３−５の側面部との間に古紙１１−１がたまっても、回転羽１３−７が停止しなくなる。また、各羽１３−７ｑ〜１３−７ｔが、回転羽１３−７の中心点より外方に至るにつれて広がるように形成されているので、回転羽１３−７の回転動作による作用で収容部の内側側面付近に集中する古紙を効率よく粉砕することが可能となる。
【０１１２】
次に、回転羽１３−７を複数備える場合の古紙解繊装置１３を考える。
図１１は、回転羽１３−７を３つ備える場合の古紙解繊装置１３のタンク１３−５内の様子を示す図であり、図１１（ａ）は、タンク１３−５の斜視図であり、図１１（ｂ）は、タンク１３−５を真上から見た図である。なお、図１１（ｂ）に示す矢印Ｍは、各回転羽１３−７を回転させた場合の古紙の流れを示すものである。
【０１１３】
図１１（ａ）及び（ｂ）に示すように、３つの回転羽１３−７は、古紙解繊装置１３のタンク１３−５の内側底面部に互いに所定間隔の距離を空けて設置される。そして、例えば、タンク１３−５の底面の直径を８０ｃｍ、各回転羽１３−７の直径を３２ｃｍとする場合、回転羽１３−７の端からタンク１３−５の内側側面までの距離を、１５ｍｍ程度とし、各回転羽１３−７間の距離を、５ｃｍ程度とすることが望ましい。これにより、古紙が各回転羽１３−７にひっかかることなく、スムーズに各回転羽１３−７を回転させることができる。
【０１１４】
そして、これら３つの回転羽１３−７は、互いに同じ回転速度で回転させてもよいし、互いに異なる回転速度で回転させてもよい。また、３つの回転羽１３−７の回転方向（右回りまたは左回り）を、互いに同じ方向で回転させてもよいし、互いに異なる方向で回転させてもよい。
【０１１５】
このように、古紙解繊装置１３のタンク１３−５の内側底面部に回転羽１３−７を複数備える構成にすることにより、個々の回転羽１３−７にかかる負荷が３分の１程度に低減されるので、回転羽１３−７を駆動させるためのモータ１３−１１の負荷を低減させることができる。これにより、モータ１３−１１の寿命を延ばすことができる。また、回転羽１３−７及びモータ１３−１１の駆動の負担を低減させることができるので、例えば、数十ｋｇまたは数百ｋｇの古紙を解繊させることが可能な大型の古紙解繊装置１３を製造することができる。なお、３つの回転羽１３−７を３つのモータでそれぞれ駆動制御させるように構成してもよい。また、３つの回転羽１３−７は、タンク１３−５の内側側面部に所定間隔の距離を空けて設置される構成としてもよい。また、３つの回転羽１３−７は、内蓋１３−６の下方面に設置される構成としてもよい。
【０１１６】
図１２は、他の構成のタンク１３−５及び回転羽１３−７を示す図であり、図１２（ａ）〜（ｆ）は、タンク１３−５を真上から見た図である。
まず、図１２（ａ）は、底面が円であるタンク１３−５の底面部に回転羽１３−７が２つ設置されたものを示す図である。この図１２（ａ）に示す２つの回転羽１３−７は、１つのモータ１３−１１で駆動させてもよいし、２つの回転羽１３−７にそれぞれ対応するモータ１３−１１を２つ設け、２つの回転羽１３−７を個々に駆動制御させてもよい。
【０１１７】
また、図１２（ｂ）は、底面が楕円状（または、略長方形）であるタンク１３−５の底面部に回転羽１３−７が２つ設置されたものを示す図である。この図１２（ｂ）に示す２つの回転羽１３−７は、図１２（ａ）に示す２つの回転羽１３−７と同様に、１つのモータ１３−１１で駆動させてもよいし、２つの回転羽１３−７にそれぞれ対応するモータ１３−１１を２つ設け、２つの回転羽１３−７を個々に駆動制御させてもよい。このように、タンク１３−５の底面部に回転羽１３−７を２つ設置する場合、タンク１３−５の底面を楕円（または、略長方形）に形成することにより、図１２（ａ）に示すタンク１３−５よりも底面の面積を小さくすることができ、古紙解繊装置１３を小さく構成することができる。
【０１１８】
また、図１２（ｃ）は、底面が略三角形状であるタンク１３−５の底面部に回転羽１３−７が３つ設置されたものを示す図である。この１２（ｃ）に示す３つの回転羽１３−７は、１つのモータ１３−１１で駆動させてもよいし、３つの回転羽１３−７にそれぞれ対応するモータ１３−１１を３つ設け、３つの回転羽１３−７を個々に駆動制御させてもよい。このように、タンク１３−５の底面部に回転羽１３−７を３つ設置する場合、タンク１３−５の底面を略三角形に形成することにより、図１１に示すタンク１３−５よりも底面の面積を小さくすることができ、古紙解繊装置１３を小さく構成することができる。
【０１１９】
また、図１２（ｄ）は、底面が略四角形状である円柱のタンク１３−５の底面部に回転羽１３−７が４つ設置されたものを示す図である。この図１２（ｄ）に示す４つの回転羽１３−７は、１つのモータ１３−１１で駆動させてもよいし、４つの回転羽１３−７にそれぞれ対応するモータ１３−１１を４つ設け、４つの回転羽１３−７を個々に駆動制御させてもよい。
【０１２０】
また、図１２（ｅ）は、底面が円状である円柱のタンク１３−５の底面部に回転羽１３−７が５つ設置されたものを示す図である。この図１２（ｅ）に示す５つの回転羽１３−７は、１つのモータ１３−１１で駆動させてもよいし、５つの回転羽１３−７にそれぞれ対応するモータ１３−１１を５つ設け、５つの回転羽１３−７を個々に駆動制御させてもよい。
【０１２１】
また、図１２（ｆ）は、底面が円状である円柱のタンク１３−５の底面部に回転羽１３−７が６つ設置されたものを示す図である。この図１２（ｆ）に示す６つの回転羽１３−７は、１つのモータ１３−１１で駆動させてもよいし、６つの回転羽１３−７にそれぞれ対応するモータ１３−１１を６つ設け、６つの回転羽１３−７を個々に駆動制御させてもよい。
【０１２２】
なお、タンク１３−５の形状は、図１２に示すタンク１３−５だけに限定されず、種々の形状をとることができる。また、同様に、タンク１３−５の底面部に設置される回転羽１３−７も図１２に示す回転羽１３−７の個数に限らず、７つ以上の回転羽１３−７を設置する構成としてもよい。
【０１２３】
次に、古紙解繊装置１３の動作を説明する。
図１３は、古紙解繊装置１３の動作を説明するためのフローチャートである。
まず、ステップＳＴ１において、古紙解繊装置１３の操作者により電源スイッチ１３−３が入れられ、且つ、タンク１３−５に古紙１１−１が入れられると、センサ１３−８が古紙１１−１の重さを計量する。
【０１２４】
次に、ステップＳＴ２において、古紙１１−１の重さに対して所定の水をタンク１３−５に注入する。このとき、タンク１３−５に注入される水は、古紙１１−１が解繊されやすいように注入され、その水の量（重さ）は、解繊後の繊維素材１１−２を圧縮しても繊維素材１１−２から水が一切でない量（重さ）とする。このように、古紙１１−１に対して適度な量（重さ）の水を加えることにより、廃液を全く出さずに解繊することができる。すなわち、古紙１１−１を歩留まり１００％で解繊することができる。また、古紙１１−１の解繊時に発生する埃や静電気を抑えることができる。
【０１２５】
そして、ステップＳＴ３において、古紙解繊装置１３の操作者により内蓋１３−６（おわん型部材１３−１４または円錐型部材１３−１６のみでもよい）及び外蓋１３−２が閉められ、スタートスイッチ１３−３が入れられると、所定の回転速度で回転羽１３−７を回転させる。このときの回転羽１３−７の回転速度は、例えば、時間の経過と共に徐々に速くなり、所定時間経過後、回転羽１３−７は、一定の回転速度で回転させる。尚、操作者により外蓋１３−２が閉められると、自動的に所定の回転速度で回転羽１３−７を回転させるようにしてもよい。また、回転羽１３−７の回転速度を増減可能に構成してもよい。また、回転羽１３−７の回転方向を変更可能（逆回転するよう）に構成してもよい。
【０１２６】
そして、ステップＳＴ４において、予め操作者により設定されていた駆動時間が経過すると、回転羽１３−７の回転を停止する。
以下に示す表１は、注入される水の重さと、古紙１１−１の重さとの関係を示すものであり、１ｋｇの古紙１１−１に対して注入される水の量（重さ）を０、０．２、０．３、０．５、０．６、０．６５、０．７、０．８、１、及び１．３ｋｇとする場合に、それぞれの場合について実際に解繊を行い、そのときのそれぞれの場合における古紙１１−１の解繊状態を示している。尚、この実験に使用された古紙１１−１は、使用済みコピー紙２５０ｇ（例えば、Ａ４サイズのコピー紙であれば、５８枚）、新聞紙２５０ｇ、チラシ２５０ｇ、及び雑誌２５０ｇ（糊止めやホチキス止めされた禁忌品でもよい）の計１ｋｇとし、回転羽１３−７の回転時間を３〜６分間としている。
【０１２７】
【表１】
2005009062.tif 000003
表１から明らかなように、１ｋｇの古紙１１−１に対する添水量が０．６〜１．０ｋｇの場合、解繊可能であり、特に、０．６５ｋｇの場合、最も良好に古紙１１−１を繊維状に解繊することができる。
【０１２８】
添水量が少ないと（水：０〜０．３ｋｇ）、埃や静電気が発生したり、繊維状にならなかったり、繊維がまだ粗かったりする。反対に、添水量が多すぎると（水：１．０ｋｇ以上）、団子状になり、分解するが繊維化されない。
また、３分間動作させた場合は、古紙を判読不可能な状態とすることができ、情報の漏洩の防止となる。また、６分間動作させた場合は、古紙を繊維状にすることができ、１０分間動作させた場合は、古紙をセルロース状にすることができる。
【０１２９】
また、以下に示す表２は、使用済みコピー紙１ｋｇ、新聞紙１ｋｇ、チラシ１ｋｇ、及び雑誌１ｋｇのそれぞれについて、回転羽１３−７を６分間回転させ、最も解繊状態がよい場合の添水量（重さ）を示すものである。
【０１３０】
【表２】
2005009062.tif 000004
このように、古紙１１−１に含ませる水の量は、古紙１１−１の種類により若干変化するが、解繊する古紙１１−１の重さの６０〜１００％の添水量とすることが望ましく、特に、複数種の古紙を解繊する場合は、６５％の添水量とすることが望ましい。すなわち、例えば、上記古紙解繊装置１３において、タンク１３−５に古紙１１−１が入れられ、センサ１３−８が１ｋｇの古紙１１−１を計量した場合、水注入手段１３−９により、６００〜１０００ｇの水がタンク１３−５に注入されることが望ましい。
【０１３１】
尚、表２に示すように、新聞紙のみ、または新聞紙の割合が多い場合には、添水量を少し多くする必要がある。
また、例えば、１台の古紙解繊装置１３を使用して、１ｋｇのＡ４サイズのコピー紙（具体的には、Ａ４サイズのコピー紙２３２枚）を解繊させる場合で、３分間古紙解繊装置１３を動作させる場合、１枚のコピー紙を解繊させる時間は、０．３９秒となる。
【０１３２】
そして、１０台の古紙解繊装置１３を使用して、１時間動作させる場合は、２００ｋｇのＡ４サイズのコピー紙を１度に解繊させることが可能となる。
このように、上記実施形態の古紙繊維素材利用システム１０では、各事業所１２において、装置取扱所１４が提供する古紙解繊装置１３により大量に発生する古紙１１−１を、シュレッダーを使用することなく、再生紙用または再生製品用の原材料として解繊することができるので、古紙１１−１に記載される機密情報の漏洩を防ぎ、低コストで古紙１１−１を資源素材として活用することが可能となる。
【０１３３】
また、古紙繊維素材利用システム１０では、従来、製紙工場１５や再生製品工場１６で行われていた古紙１１−１の解繊処理を、事業所１１で行うことができるので、古紙１１−１の回収から再生紙１１−３または再生製品１１−４の製造までの工程を簡略化することができる。
【０１３４】
すなわち、例えば、解繊後の繊維素材１１−２のインク等を脱色せず、そのままでもよい再生製品１１−４を製造する場合は、古紙解繊装置１３で解繊される繊維素材１１−２からそのまま再生製品１１−４を製造することができるので、古紙１１−１から再生製品１１−４の製造までの工程を少なくすることができる。
【０１３５】
また、上記実施形態の古紙解繊装置１３は、古紙１１−１の重さの６０〜１００％の重さの水を、その古紙１１−１に含ませ、その水分を含んだ古紙１１−１を、複数の羽を備える回転羽１３−７を回転させることにより解繊させているので、従来の湿式の古紙解繊方法のように、大量の水を使わずに、完全に古紙を解繊することができる。これにより、排水（汚泥）の発生を防止することができる。また、実験結果より、古紙１１−１の重さに対して６０〜１００％の重さの水をその古紙１１−１に含ませ、解繊することで古紙１１−１を、良好に解繊することができる。また、例えば、１ｋｇの古紙１１−１を３〜６分間という短時間で解繊することができる。また、上記古紙解繊装置１３は、従来の古紙を解繊する装置のように複雑な構成で大型なものではないので、省スペースに設置することができる。また、事業所、役所、または大学から出る機密書類を、１度に大量に解繊することができるので、従来のように、古紙を１枚１枚シュレッダー等で裁断するよりも容易に情報漏洩を防止することが可能となる。
【０１３６】
尚、古紙解繊装置１３において解繊される古紙１１−１の種類は、上述した新聞紙や使用済みコピー用紙等の古紙以外も適用可能である。
また、上記実施形態の古紙解繊装置１３では、センサ１３−９によりタンク１３−５に入れられる古紙１１−１の量（重さ）を計量し、その古紙１１−１の量に基づいて、所定量（重さ）の水をタンク１３−５に注入しているが、所定量の水の注入作業を装置１０の操作者が行うようにしてもよい。このとき、作業者は、古紙１１−１の重さを量り、その古紙１１−１の重さに基づいた水の量を用意する必要がある。
【０１３７】
また、上記実施形態の古紙解繊装置１３では、最初に、規定量（６０〜１００％）の水を一度に入れているが、最初に或る程度の水（例えば、最低規定量の６０％の水）を入れておいて、回転羽１３−７を回転させつつ、足りない分の水を徐々に加えていくようにしてもよい。
【０１３８】
また、上記古紙解繊装置１３を搭載した車両を事業所、役所、または大学等に出張させ、その場で、古紙を解繊させるシステムを構築してもよい。このとき、古紙を解繊させる処理時間に応じて料金を異ならせるようにしてもよい。これにより、目の前で古紙が判読不可能な状態となるので、そのシステムの信頼性を高くすることができる。
【０１３９】
＜その他の実施形態＞
本発明は、上記実施の形態に限定されるものではなく、各請求項に記載した範囲において、種々の構成を採用可能である。例えば、以下のような構成変更も可能である。
（１）上記古紙解繊装置１３を学校に設置することによって、その学校の機密文書（テスト用紙等）や新聞紙、雑誌、コピー紙、はがき、封筒、段ボールその他の古紙を解繊することができる。また、このような機密文書やその他の古紙を、古紙解繊装置１３を使用して解繊する際、その解繊作業を学校の生徒等に行わせることにより、環境問題等についての教育の一環として役立たせることができる。また、解繊作業により得られるセルロース状の古紙は、授業の教材としてリサイクル製品を製造する際の材料とすることができる。
【０１４０】
（２）上記古紙解繊装置１３を商店街に設置することによって、その商店街の各店や商店街周辺の家庭から出される機密文書やその他の古紙（例えば、古新聞紙やコピー紙等）を解繊することができる。そして、古紙解繊装置１３を使用して機密文書やその他の古紙を解繊し、セルローズ状の古紙が得られる。そして、そのセルローズ状の古紙を加工し、リサイクル製品を製造したり、そのセルローズ状の古紙をリサイクル製品製造会社等で製造されたリサイクル製品と交換したりすることができる。これにより、古紙解繊装置１３を設置する商店街における地域環境を好転させることができる。
【０１４１】
（３）上記古紙解繊装置１３を、例えば、複数の企業等が１つのビルに入居している複合オフィスビル等に設置することによって、各企業から出される機密文書やその他の古紙（例えば、新聞紙やコピー紙等）を解繊することができる。そして、古紙解繊装置１３を使用して機密文書やその他の古紙を解繊し、セルローズ状の古紙が得られると、セルローズ状の古紙をリサイクル製品等と交換することができる。
【０１４２】
（４）学校、商店街、または、複合オフィスビルで作成されるセルローズ状の古紙から製造されるリサイクル製品としては、例えば、ちぎり絵等に使用される絵画材、カラーラッピング材、天ぷら油吸着剤、植木鉢、石膏やセメントへの混合材、ブロック（レンガ）、積み木、ブロンズ、厚紙等が挙げられる。
【０１４３】
（５）上記実施形態の古紙解繊装置１３では、タンク１３−５の底面部に回転羽１３−７を１つまたは複数設置し、その回転羽１３−７を回転させることによって古紙を解繊する構成であるが、図１４（ａ）に示すように、タンク１３−５の内側側面に１つ以上の突起物を設け、タンク１３−５の側面を回転させることによって、その突起物に古紙を衝突させることによって、古紙を解繊させるように構成してもよい。
【０１４４】
（６）また、古紙解繊装置１３は、図１４（ｂ）に示すように、内側側面に１つ以上の突起物が設けられるタンク１３−５の側面を回転させると共に、タンク１３−５の底面部に設置される回転羽１３−７を回転させることによって、古紙を解繊させるように構成してもよい。
【０１４５】
（７）また、古紙解繊装置１３は、図１４（ｃ）に示すように、タンク１３−５の内蓋１３−６の下方面に突起物を設け、その内蓋１３−６を回転させることによって、古紙を解繊させるように構成してもよい。
（８）また、古紙解繊装置１３は、図１４（ｄ）に示すように、タンク１３−５の内側側面に１以上の回転羽１３−７を設置して古紙を解繊させるように構成してもよい。これにより、回転羽の回転動作による作用で収容部の内側側面付近に集中する古紙を効率よく粉砕することが可能となる。
【０１４６】
（９）また、古紙解繊装置１３は、図１４（ｅ）に示すように、タンク１３−５の内蓋１３−６の下方面に回転羽１３−７を設置し、それら回転羽１３−７により古紙を解繊させるように構成してもよい。
（１０）また、古紙解繊装置１３は、図１４（ｆ）に示すように、タンク１３−５の内側側面及び内蓋１３−６の下方面に回転羽１３−７を設置し、それら回転羽１３−７により古紙を解繊させるように構成してもよい。これにより、収容部の内側側面のみに回転羽が設けられる構成の場合に比べて、より効率的に古紙を解繊することが可能となる。
【０１４７】
（１１）また、古紙解繊装置１３は、図１４（ｇ）に示すように、タンク１３−５の底面の中心点と開口部の中心点とを結ぶ中心軸と、地面に対して垂直な軸とからなす角度θが所定の角度となるように、タンク１３−５及び回転羽１３−７を傾けて構成してもよい。これにより、タンク１３−５の下方側にくる部分に集中して古紙がたまるので、効率よく古紙を解繊することが可能となる。
【０１４８】
（１２）また、古紙解繊装置１３は、図１４（ｈ）に示すように、タンク１３−５を複数備えるように構成してもよい。図１４（ｈ）に示す古紙解繊装置１３は、一方のタンク１３−５（例えば、タンク１３−５（ａ））が他方のタンク１３−５（例えば、タンク１３−５（ｂ））よりも高い位置となるように構成されており、タンク１３−５（ａ）の下方部分とタンク１３−５（ｂ）の上方部分に古紙を通すためのパイプ１３−１９が備えられる構成である。例えば、図１４（ｈ）に示す古紙解繊装置１３は、まず、タンク１３−５（ａ）で古紙を粗く解繊し、次に、タンク１３−５（ｂ）において、粗く解繊された古紙を所望の解繊状態となるまで解繊する。これにより、回転羽１３−７にかかる全体的な負担を各回転羽１３−７に分散することができるので、個々の回転羽１３−７の負担を低減することができ、各回転羽１３−７の寿命を延ばすことが可能となる。なお、古紙解繊装置１３に備えられるタンク１３−５は、３つ以上備えることが可能である。また、それぞれのタンク１３−５に設けられる回転羽１３−７の種類を異ならせることにより、効率良く古紙を解繊することが可能となる。
【０１４９】
（１３）また、図１５に示すような古紙繊維素材利用システム１５０を採用することもできる。
図１５に示すように、古紙繊維素材利用システム１５０は、古紙解繊装置１３をその顧客である役所、金融業者、学校、または病院等に対して、一定期間、その古紙解繊装置１３の操作に熟練した作業者と共に貸し出し（レンタル）し、そのレンタル料金を役所、金融業者、学校、または病院等に請求するシステムである。
【０１５０】
管理センター１５１は、顧客である役所、金融業者、学校、または病院等に常時設置される据置式古紙解繊装置１５２、または車両等に搭載される移動式古紙解繊装置１５３における古紙の解繊作業を監視するため、据置解繊装置１５２または移動式解繊装置１５３の近くに備えられるビデオカメラ１５４（映像をデジタルデータに変換して送信可能）またはカメラ付き携帯電話１５５からの映像データをインターネット１５６を介して受信する。そして、管理センター１５１は、その映像データを顧客先の端末装置（コンピュータ等）にインターネット１５６を介して送信する。
【０１５１】
また、管理センター１５１は、据置式解繊装置１５２または移動式解繊装置１５３が解繊した繊維素材１５７の状態（役所、金融業者、学校、または病院等から回収された繊維素材１５７が保管されるストックヤード１５８に保管される繊維素材１５７の量や質等）を示す繊維素材データをストックヤード１５８に備えられる端末装置からインターネット１５６を介して受信する。
【０１５２】
また、管理センタ１５１は、ストックヤード１５８の端末装置から送られてくる繊維素材データに基づいて、繊維素材１５５を製紙工場１５や再生製品工場１６にトラック等で配送する旨の指示データをストックヤード１５８における配送センターのコンピュータ（不図示）にインターネット１５６を介して送信する。
【０１５３】
また、管理センター１５１は、人工衛星１５９から、他の顧客のビデオカメラ１５４等から送られてくる画像データや他のストックヤード１５８から送られてくる繊維素材データをインターネット１５６を介して受信する。
そして、製紙工場１５や再生製品工場１６に配送された繊維素材１５７は、上述の古紙繊維素材利用システム１０のように、トイレットペーパー、ティシュペーパー、コピー紙、排煙浄化用フィルター、廃液浄化用フィルター、建築資材、防音材、防臭材、厚紙、植木鉢、タイル、レンガ等の再生紙１１−３や再生製品１１−４を製造することができる。なお、再生紙１１−３や再生製品１１−４の製造方法は、上述した製造方法と同様であるので、その説明を省略する。また、古紙繊維素材利用システム１５０では、顧客先の据置式解繊装置１５２または移動式解繊装置１５３により生成された繊維素材１５７を管理センター１５１で買い上げるように構成してもよく、繊維素材１５７と、各種クーポン券、各種引き換え券、または古紙再生品引換券とを交換するように構成してもよい。
また、管理センター１５１は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行われるシステムであってもよいことは言うまでもない。
【０１５４】
また、バスに接続されたＣＰＵ、ＲＯＭやＲＡＭのメモリ、入力装置、出力装置、外部記録装置、媒体駆動装置、可搬記録媒体、ネットワーク接続装置で構成されるシステムでも実現できる。即ち、前述してきた実施の形態のシステムを実現するソフトウェアのプログラムコードを記録したＲＯＭやＲＡＭのメモリ、外部記録装置、可搬記録媒体を、管理センター１５１に供給し、その管理センター１５１のコンピュータがプログラムコードを読み出し実行することによっても、達成されることは言うまでもない。
【０１５５】
この場合、記録媒体から読み出されたプログラムコード自体が本発明の新規な機能を実現することになり、そのプログラムコードを記録した可搬記録媒体等は本発明を構成することになる。
プログラムコードを供給するための可搬記録媒体としては、例えば、フレキシブルディスク、ハードディスク、光ディスク、光磁気ディスク、ＣＤ−ＲＯＭ、ＣＤ−Ｒ、ＤＶＤーＲＯＭ、ＤＶＤーＲＡＭ、磁気テープ、不揮発性のメモリーカード、ＲＯＭカード、電子メールやパソコン通信等のネットワーク接続装置（言い換えれば、通信回路）を介して記録した種々の記録媒体等を用いることができる。
【０１５６】
また、コンピュータがメモリ上に読み出したプログラムコードを実行することによって、前述した実施の形態の機能が実現される他、そのプログラムコードの指示に基づき、コンピュータ上で稼動しているＯＳ等が実際の処理の一部または全部を行い、その処理によっても前述した実施の形態に機能が実現される。
【０１５７】
さらに、可搬記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によっても前述した実施の形態の機能が実現され得る。
【０１５８】
次に、古紙繊維素材利用システム１５０における移動式古紙解繊装置１５２の実労働時間、料金、及び解繊処理能力並びに据置式古紙解繊装置１５３のレンタル期間、レンタル料金、及び解繊処理能力について一例を説明する。
移動式古紙解繊装置１５３の実労働時間は、「ＡＭまたはＰＭコース（半日コース）」、「ＡＰコース（１日コース）」、及び「２日コース」の３コースに分かれている。
【０１５９】
「ＡＭまたはＰＭコース」は、午前または午後の時間帯において、派遣される作業者の実労働時間が２．５時間以内となるように設定する。
「ＡＰコース」は、午前及び午後の時間帯において、派遣される作業者の実労働時間が５時間以内となるように設定する。
【０１６０】
「２日コース」は、１日目の午前１０時より２日目の午後４時までの時間帯において、派遣される作業者の実労働時間が１１時間となるように設定する。
また、据置式古紙解繊装置１５２のレンタル期間は、「１周間コース」、「２週コース」、及び「３週コース」の３コースに分かれている。
【０１６１】
「１週コース」は、派遣される作業者の１日目〜５日目の実労働時間が午前１０時から午後４時までとなり、午後４時から繊維素材１５７の搬出が始まるように設定する。
「２週コース」は、派遣される作業者の１日目〜１０日目の実労働時間が午前１０時から午後４時までとなり、午後４時から繊維素材１５７の搬出が始まるように設定する。
【０１６２】
「３週コース」は、派遣される作業者の１日目〜１５日目の実労働時間が午前１０時から午後４時までとなり、午後４時から繊維素材１５７の搬出が始まるように設定する。
なお、更に、「４週コース」、「８週コース」、「１２週コース」、及び「２４週コース」を設定するようにしてもよい。
【０１６３】
また、移動式古紙解繊装置１５３の料金は、派遣作業者１名の場合、「ＡＭまたはＰＭコース」が５万円、「ＡＰコース」が８万円、「２日コース」が１５万円となるように設定する。なお、上記移動式古紙解繊装置１５３の料金は、１台分の料金であって、２台を使用する場合（２台を交互に稼動させる場合）は、１台分の料金の６０％増しとなる。
【０１６４】
また、据置式古紙解繊装置１５２のレンタル料金は、派遣作業者１名の場合、「１週コース」が２５万円、「２週コース」が３８万円、「３週コース」が５０万円、「４週コース」が６０万円、「８週コース」が１１４万円、「１２週コース」が１７１万円、「２４週コース」が３２４万円となるように設定する。なお、「２４週コース」以上のレンタル料金は、上記各コースから４万円をひいた料金となるように設定する。なお、上記据置式古紙解繊装置１５２のレンタル料金は、１台分の料金であって、２台を使用する場合（２台を交互に稼動させる場合）は、１台分の料金の６０％増しとなる。
【０１６５】
また、移動式古紙解繊装置１５３と据置式古紙解繊装置１５２の解繊処理能力は同じであり、１台分の古紙解繊装置の解繊処理能力は、「ＡＰ及びＰＭコース」の場合、Ａ４コピー紙で５０ｋｇ、１１６００枚解繊可能であり、「ＡＰコース」の場合、Ａ４コピー紙で１００ｋｇ、２３２００枚解繊可能であり、「２日コース」の場合、Ａ４コピー紙で２２０ｋｇ、５１０４０枚解繊可能であり、「１周コース」の場合、Ａ４コピー紙で１日６時間３日間稼動し、３６０ｋｇ、１日５時間２日間稼動し、２００ｋｇ、合計５６０ｋｇ、１２９９２０枚解繊可能である。すなわち、Ａ４コピー紙を解繊する場合、１時間（Ａ４コピー紙１ｋｇを３分解繊し、２０回繰り返す場合）で２０ｋｇ、４６４０枚を解繊することができる。なお、上記据置式古紙解繊装置１５２及び移動式古紙解繊装置１５３の処理能力は、１台分の処理能力であって、２台を使用する場合（２台を交互に稼動させる場合）は、１台分の処理能力に対して１８０％の処理能力となる。
【０１６６】
なお、上述した古紙繊維素材利用システム１５０における移動式古紙解繊装置１５２の実労働時間、料金、及び解繊処理能力並びに据置式古紙解繊装置１５３のレンタル期間、レンタル料金、及び解繊処理能力は、一例であって、目的や構成等に応じて種々変更可能である。
【０１６７】
このように、顧客は、古紙解繊装置１３の動作や作業者の動作の全てをビデオカメラ１５４またはカメラ付き携帯電話１５５から送られてくる画像データをインターネット１５６を介して古紙の解繊作業の状況を監視することができるので、古紙解繊作業の現場に立ち会う必要がなくなるので、通常の業務を行いながら古紙の解繊作業の状況を監視することができる。
【０１６８】
（１４）また、上記古紙解繊装置１３で解繊される繊維素材１１−２とゼオライトを混合し、その混合したものを天然素材の通気性の良い袋や容器（例えば、和紙、クラフト紙に孔を開けたもの、または木綿等により生成された袋等）に入れて主に、鮮度保持材又は防臭材を構成してもよい。なお、従来では、鮮度を保持するために、トルマリン、ゼオライト、アルミナ、酸化チタン、酸化カルシウム等を容器の内側に直接塗付したり、袋の中にシリカゲル炭粉末等を直接入れたりしていた。
【０１６９】
繊維素材１１−２とゼオライトとが混合されたものは、青果物、種子類、加工食品、または魚肉類等から発生するエチレン、アルデヒド、アルコール等のガス成分を吸収する。
このように、繊維素材１１−２とゼオライトとが混合されたものは、過熱の抑制、品質劣化の防止、防臭等の効果があるので、その繊維素材１１−２とゼオライトとが混合されたものが含まれる袋や容器は、青果物や魚肉類等を入れてもその青果物や魚肉類の鮮度を保持することが可能となる。また、繊維素材１１−２とゼオライトとが混合されたものが含まれる袋や容器は、安価で環境にやさしく、青果物や魚肉類の鮮度を保持することが可能となる。
【０１７０】
また、例えば、不織布や木綿等の布帛の一方の面にゼオライトを接着剤等を利用して塗布し、そのゼオライトが塗布された面を内側にして袋状にし、その袋の中に繊維素材１１−２を入れるようにしてもよい。このように、ゼオライトが内側に塗布された袋に青果物や魚肉類と繊維素材１１−２とを入れることによっても、その青果物や魚肉類の鮮度を保つことができる。また、更に、青果物や魚肉類から発生する臭気を、ゼオライトや繊維素材１１−２に吸収させたりすることができる。
【０１７１】
（１５）また、図１６は、上記回転羽１３−７の他の構成を示す図であり、図１６（ａ）は、回転羽１３−７を上から見た図を、図１６（ｂ）は、回転羽１３−７を横から見た図を、図１６（ｃ）は、回転羽１３−７を図１６（ｂ）の矢印Ｂ方向から見た図を示している。
【０１７２】
図１６（ａ）〜（ｃ）に示す回転羽１３−７は、中心からそれぞれ伸びる２つの羽１３−７ｕ及び１３−７ｖを備えている。また、羽１３−７ｕ及び１３−７ｖは、図１６（ａ）〜（ｃ）に示すように、それぞれの羽の上に、古紙１１−１と衝突し古紙１１−１を粉砕する粉砕板１３−７ｗが３枚づつ設けられ、その粉砕板１３−７ｗは、羽１３−７ｕ及び１３−７ｖの上に垂直に設けられる。そして、回転羽１３−７が回転することにより、この２つの羽１３−７ｕ及び１３−７ｖ、並びに、粉砕板１３−ｗに古紙１１−１が衝突し、古紙１１−１を繊維状に解繊する。尚、回転羽１３−７は、鉄、ステンレス、アルミ、その他の合金や樹脂等特に材質は限定されない。また、羽１３−７ｕ及び１３−７ｖの上に設けられる粉砕板１３−７ｗの数は３枚に限定されず何枚でもよい。
【０１７３】
（１６）また、図１７は、上記回転羽１３−７の他の構成を示す図であり、図１７（ａ）は、回転羽１３−７を上から見た図を、図１７（ｂ）は、回転羽１３−７を横から見た図を、図１７（ｃ）は、回転羽１３−７を図１７（ｂ）の矢印Ｃ方向から見た図を示している。
【０１７４】
図１７（ａ）〜（ｃ）に示す回転羽１３−７は、中心からそれぞれ伸びる２つの羽１３−７ｘ及び１３−７ｙを備えている。また、羽１３−７ｘ及び１３−７ｙは、図１７（ａ）〜（ｃ）に示すように、それぞれの羽の上に、古紙１１−１と衝突し古紙１１−１を粉砕する粉砕板１３−７ｗが１枚づつ設けられ、その粉砕板１３−７ｗは、羽１３−７ｘ及び１３−７ｙの上に垂直に設けられる。また、羽１３−７ｘ及び１３−７ｙのそれぞれの羽の上に、粉砕板１３−７ｗよりも高く、且つ、細長い突起部材１３−７ｚが設けられている。そして、回転羽１３−７が回転することにより、この２つの羽１３−７ｘ及び１３−７ｙ、並びに、粉砕板１３−７ｗ及び突起部材１３−７ｚに古紙１１−１が衝突し、古紙１１−１を繊維状に解繊する。尚、回転羽１３−７は、鉄、ステンレス、アルミ、その他の合金や樹脂等特に材質は限定されない。また、羽１３−７ｘ及び１３−７ｙの上に設けられる突起物１３−７ｚの数は特に限定されない。
【０１７５】
（１７）また、上記古紙解繊装置１３は、回転羽１３−７を回転させながら、タンク１３−５の設置位置を変えずに、回転羽１３−７だけを上下方向に移動させてもよい。すなわち、例えば、回転羽１３−７を駆動させるモータを回転羽１３−７の下方に備え、その回転羽１３−７を駆動させるモータごとに別のモータで回転羽１３−７を上下方向に移動させるように構成してもよい。
【０１７６】
このように、回転羽１３−７を上下方向に移動させることにより、回転羽１３−７が回転することによって上昇した古紙１１−１も解繊することができるので、タンク１３−７内に入れられたすべての古紙１１−１を効率良く解繊することができる。
（１８）また、上記古紙解繊装置１３は、回転羽１３−７を回転させながら、タンク１３−５の設置位置を変えずに、内蓋１３−６だけを上下方向に移動させてもよい。
【０１７７】
このように、内蓋１３−６を上下方向に移動させることにより、回転羽１３−７が回転することによって上昇した古紙１１−１も解繊することができるので、タンク１３−７内に入れられたすべての古紙１１−１を効率良く解繊することができる。
（１９）また、上記古紙解繊装置１３は、タンク１３−５の外周にニクロム線等の発熱部を設けると共に、その発熱部に流す電流量を調整して、タンク１３−５内の温度を調整する調整部を設ける構成としてもよい。このように、タンク１３−５を温める構成とした場合、そのタンク１３−５内の温度は、４０〜７０度であることが望ましい。
【０１７８】
このように、タンク１３−５を温めることにより、良好に古紙１１−１を解繊することができる。
（２０）図１８（ａ）は、本発明の他の実施形態の古紙解繊装置１８０を示す図であり、古紙解繊装置１８０の内部を横から見た図である。
【０１７９】
図１８（ａ）に示すように、古紙解繊装置１８０は、古紙１１全体に所定量の水を供給し、古紙１１を所定の場所に送り出す機構を有する供給部１８１と、供給部１８１から送り出された古紙１１を収容し、その古紙１１を繊維状に解繊させる回転羽１８２を有する収容部１８３（第１の収容部）と、回転羽１８２の回転動作を制御する制御部１８４と、収容部１８３の下方に設けられ、回転羽１８２により繊維状に解繊された古紙１１を収容する収容部１８５（第２の収容部）と、収容部１８３と収容部１８５とを仕切る壁に設けられ、回転羽１８２により繊維状に解繊された古紙１１が通る大きさの孔１８６とを備えて構成される。
【０１８０】
また、上記供給部１８１は、古紙１１の一方の面と接し、所定の方向に回転することにより古紙１１を収容部１８３に送り出す円柱形部材１８７（第１の円柱形部材）と、古紙１１の他方の面と接し、円柱形部材１８７の回転方向と反対方向に回転することにより古紙１１を収容部１８３に送り出す円柱形部材１８８（第２の円柱形部材）と、円柱形部材１８８に水分を供給するタンク１８９とを備えて構成される。
【０１８１】
図１８（ｂ）は、古紙１１が円柱形部材１８７及び１８８によって収容部１８３（図１８（ｂ）では不図示）の方へ送り出されていく様子を示す図である。図１８（ｂ）に示すように、古紙１１は、一対の円柱形部材１８７及び１８８により挟持されるようにして、上方から取り込まれて円柱形部材１８７及び１８８の下方に位置する収容部１８３へ送り出される。
【０１８２】
また、上記円柱形部材１８７及び１８８の側面の長手方向の長さは、特に限定されないが、例えば、Ａ４サイズの古紙１１の縦または横の長さよりも長く形成することにより、Ａ４サイズの古紙１１を収容部１８３に送り出せるように構成してもよい。
また、上記円柱形部材１８７の材質は、特に限定されないが、例えば、円柱形部材１８７の側面と古紙１１の一方の面とが接する際に古紙１１が滑らないような材質で構成されてもよい。
【０１８３】
また、上記円柱形部材１８８の材質は、特に限定されないが、例えば、古紙１１の一方の面と接する際に古紙１１が滑らず、且つ、古紙１１の一方の面の全体にまんべんなく所定量の水分を含ませることが可能なように、水を吸収することが可能な材質、例えば、スポンジ等で構成されてもよい。
【０１８４】
また、上記タンク１８９は、図１８（ａ）に示すように、円柱形部材１８８の一部がタンク１８９内の水につかるように上部が空いている。そして、円柱形部材１８８は、回転することにより円柱形部材１８８の側面全てがタンク１８９内の水と触れるように構成される。
【０１８５】
また、タンク１８９を円柱形部材１８７の下方にもう１つ設け、円柱形部材１８７及び１８８の両方に水分を供給するように構成してもよい。
また、上記供給部１８１で古紙１１の全体に供給する水分の量は、繊維状に解繊された後の古紙１１を圧縮しても水が出ない程度の水分の量であることが望ましい。例えば、タンク１８９内の水量、タンク１８９内への円柱形部材１８８の沈み具合、円柱形部材１８８の水の吸収性の程度、または、円柱形部材１８７及び１８８による古紙１１の搬送速度等を調整することにより、古紙１１の全体に供給する水の量を調整してもよい。
【０１８６】
また、上記供給部１８１で古紙１１の全体に供給する水は、温水でもよい。
また、上記回転羽１８２の羽の数は、特に限定されない。
また、上記制御部１８４は、回転羽１８２の回転動作を制御するためのものであって、例えば、モータを含む制御装置等で構成される。
【０１８７】
また、上記孔１８６は、収容部１８３と収容部１８５とを仕切る壁に、複数設けられる構成としてもよく、それぞれの孔１８６の大きさは、繊維状となった古紙１１が通れるくらいの大きさであることが望ましい。
このように構成することにより、古紙１１を早く解繊することができる。
【０１８８】
また、供給部１８１により古紙１１全体に所定量の水分を含ませることができるので、古紙１１全体を繊維状に解繊することができ、機密性を高めることができる。
また、供給部１８１により古紙１１全体に所定量の水分を含ませることができるので、従来、古紙１１に水を含ませずに解繊することによって発生していた紙粉、静電気、または騒音の発生を防止することができる。
【０１８９】
（２１）図１８（ｃ）は、本発明の他の実施形態の古紙解繊装置１９０を示す図であり、古紙解繊装置１９０の内部を横から見た図である。なお、古紙解繊装置１０と同じ構成のものには同一の符号を付け、その構成の説明を省略する。また、図１８（ｄ）は、古紙１１が円柱形部材１９２及び１９４によって収容部１８３（図１８（ｄ）では不図示）の方へ送り出されていく様子を示す図である。
【０１９０】
古紙解繊装置１９０の特徴とするところは、図１８（ｃ）または（ｄ）に示すように、供給部１８１に、円形の複数のカッター部１９１が側面に等間隔に設けられる円柱形部材１９２と、円柱形部材１９２のカッター部１９１と対応する複数の溝１９３が側面に設けられる円柱形部材１９４とを備えているところである。
【０１９１】
図１８（ｄ）に示すように、古紙１１は、円柱形部材１９２及び１９４に把持されつつ、所定の大きさに裁断され、円柱形部材１９２及び１９４の下方に位置する収容部１８３へ送り出される。
また、上記円柱形部材１９２及び１９４の側面の長手方向の長さは、上記円柱形部材１８７及び１８８と同様、特に限定されないが、例えば、Ａ４サイズの古紙１１の縦または横の長さよりも長く形成することにより、Ａ４サイズの古紙１１を収容部１８３に送り出せるように構成してもよい。
【０１９２】
また、上記円柱形部材１９２の材質は、上記円柱形部材１８７と同様、特に限定されないが、例えば、古紙１１の一方の面と接する際に古紙が滑らないような材質で構成されてもよい。
また、上記円柱形部材１９４の材質は、上記円柱形部材１８８と同様、特に限定されないが、例えば、古紙１１の一方の面と接する際に古紙が滑らず、且つ、古紙１１の一方の面全体にまんべんなく所定量の水分を含ませることが可能なように、水を吸収することが可能な材質、例えば、スポンジ等で構成されてもよい。
【０１９３】
これにより、古紙１１を収容部１８３に収容する前に、円柱形部材１９２及び１９４により古紙１１を所定の大きさに裁断することができるので、回転羽１８２にかかる負担を低減して古紙１１を解繊することができ、回転羽１８２の寿命を延ばすことができる。
また、古紙解繊装置１９０の他の特徴とするところは、収容部１８３と収容部１８５とを仕切る壁に設けられ、孔１８６を開閉させる開閉部１９５を備えているところである。
【０１９４】
なお、開閉部１９５は、往復スライド式（回転式）のシャッターとしてもよく、孔１８６と同間隔に開閉部１９５に設けられる孔をスライド（または回転）させることにより互いの孔の位置が重なったときに、孔１８６が開放されるように構成してもよい。
また、この開閉部１９５は、手動で孔１８６を開閉することができるように構成されてもよいし、所定時間経過後に自動的に孔１８６が開閉される構成としてもよい。
【０１９５】
これにより、全ての古紙１１が完全に繊維状となるまで、収容部１８３に古紙１１を収容させておくことができるので、更に機密性を高めることができる。
（２２）図１９（ａ）は、本発明の他の実施形態の古紙解繊装置１９６を示す図であり、古紙解繊装置１９６の内部を横から見た図である。なお、古紙解繊装置１８０または１９０と同じ構成のものには同一の符号を付け、その構成の説明を省略する。
【０１９６】
古紙解繊装置１９６の特徴とするところは、図１９（ａ）に示すように、解繊前の複数の古紙１１を一時的に収容する収容部１９７（第３の収容部）と、その収容部１９７から供給部１８１に所定時間間隔で古紙１１を送り出す送出部１９８とを備えて構成されているところである。
【０１９７】
上記収容部１９７と送出部１９８とからなる構成は、いわゆる、オートフィーダであり、２つのローラにより古紙１１を円柱形部材１８７及び１８８へ給紙するものである。
これにより、供給部１８１に古紙１１を送り出す工程を人手を介すことなく行うことができる。
【０１９８】
（２３）図１９（ｂ）は、本発明の他の実施形態の古紙解繊装置１９９を示す図であり、古紙解繊装置１９９の内部を横から見た図である。なお、古紙解繊装置１８０、１９０、または１９６と同じ構成のものには同一の符号を付け、その構成の説明を省略する。
古紙解繊装置１９９の特徴とするところは、図１９（ｂ）に示すように、複数の回転羽２００（２００−１、２００−２、２００−３、及び２００−４）を備えて構成されているところである。
【０１９９】
上記複数の回転羽２００は、図１９（ｂ）に示す例では、制御部１８４から収容部１８３の天井まで伸びる同じ軸上に所定間隔に４つの回転羽２００−１〜２００−４が取り付けられている。また、一番下に１番大きい回転羽２００−１が取り付けられ、上にいくにしたがって小さな回転羽３１が取り付けられている。なお、回転羽２００は、２つ以上でもよく、４つに限定されない。
【０２００】
このように、複数の回転羽２００を備えることにより、更に、効率良く早く古紙１１を繊維状に解繊することができると共に、１つの回転羽２００にかかる負担を低減することができるので、回転羽２００の寿命を延ばすことができる。
（２４）図２０（ａ）は、本発明の他の実施形態の古紙解繊装置２０１を示す図であり、古紙解繊装置２０１の内部を横から見た図である。なお、古紙解繊装置１８０または１９０と同じ構成のものには同一の符号を付け、その構成の説明を省略する。
【０２０１】
古紙解繊装置２０１の特徴とするところは、図２０（ａ）に示すように、円柱形部材１９２及び１９４で送り出される紙片状の古紙１１に所定量の水分を霧状して吹き付けることが可能な霧吹部２０２を備えて構成されているところである。なお、霧吹部２０２は、例えば、貯水部、霧吹口、給水ポンプ等を備えており、給水ポンプにより貯水部に貯えられる水分を霧吹口へ加圧供給することで霧吹きを可能にするように構成してもよい。
【０２０２】
上記霧吹部２０２は、例えば、図２０（ａ）に示すように、供給部１８１に２つ備えられる構成であり、円柱形部材１９２及び１９４により紙片状となった古紙１１の両面に同時に水分を供給することができるように構成されていることが望ましい。
このように構成しても、古紙１１を早く解繊することができると共に、機密性を高め、解繊時の紙粉、静電気、または騒音の発生を防止することができる。
【０２０３】
（２５）図２０（ｂ）は、本発明の他の実施形態の古紙解繊装置２０３を示す図であり、古紙解繊装置２０３の内部を横から見た図である。なお、古紙解繊装置１８０、１９０、または１９９と同じ構成のものには同一の符号を付け、その構成の説明を省略する。
古紙解繊装置２０３の特徴とするところは、図２０（ｂ）に示すように、円柱形部材１９２及び１９４と、複数の回転羽２００（２００−１、２００−２、及び２００−３）とを備えて構成されているところである。なお、回転羽２００は、２つ以上で構成されてもよい。
【０２０４】
このように構成することにより、古紙１１を早く解繊することができると共に、１つの回転羽にかかる負担を古紙解繊装置１８０、１９０、または１９９よりも低減することができ、回転羽の寿命を延ばすことができる。
（２６）図２１（ａ）は、本発明の他の実施形態の古紙解繊装置２０４を示す図であり、古紙解繊装置２０４の内部を横から見た図である。なお、古紙解繊装置１９０と同じ構成のものには同一の符号を付け、その構成の説明を省略する。
【０２０５】
古紙解繊装置２０４の特徴とするところは、図２１（ａ）に示すように、収容部１８３が、所定の角度で傾けられて構成されているところである。なお、上記収容部１８４の傾き角度は、特に限定されない。
このように構成することにより、収容部１８３の底部の一部に古紙１１を寄せることができるので、回転羽１８２により古紙１１を効率良く解繊させることができる。
【０２０６】
（２７）図２１（ｂ）は、本発明の他の実施形態の古紙解繊装置２０５を示す図であり、古紙解繊装置２０５の内部を横から見た図である。なお、古紙解繊装置１９０、１９９、または２０４と同じ構成のものには同一の符号を付け、その構成の説明を省略する。
古紙解繊装置２０５の特徴とするところは、図２１（ｂ）に示すように、収容部１８３が所定の角度で傾けられていると共に、複数の回転羽２００（２００−１、２００−２、及び２００−３）を備えて構成されているところである。なお、回転羽２００は、２つ以上で構成されてもよい。
【０２０７】
これにより、古紙１１を効率良く早く解繊させることができると共に、回転羽２００の寿命を延ばすことができる。
（２８）図２２は、本発明の他の実施形態の古紙解繊装置２０６を示す図であり、古紙解繊装置２０６の内部を横から見た図である。なお、古紙解繊装置１９１と同じ構成のものには同一の符号を付け、その構成の説明を省略する。
【０２０８】
古紙解繊装置２０６の特徴とするところは、図２２に示すように、収容部１８３の側面にそれぞれ互いに向い合うように同じ軸上に回転羽２０７（２０７−１及び２０７−２）が備えられて構成されているところである。
このように構成しても、古紙１１を早く解繊することができると共に、機密性を高め、解繊時の紙粉、静電気、または騒音の発生を防止することができる。
【０２０９】
なお、上記実施形態における古紙解繊装置１８０、１９０、１９９、２０３、２０４、及び２０６の一番外側の筐体の形は、立方体であっても、円柱形であってもよい。また、収容部１８３の形も、立方体であっても、円柱形であってもよい。
また、上記実施形態における古紙解繊装置１８０、１９０、１９６、１９９、２０１、及び２０３〜２０６は、４枚の羽を有する回転羽を備える構成であるが、回転羽が有する羽の枚数は限定されない。
【０２１０】
また、上記実施形態における円柱形部材１８７及び１８８は、古紙１１に所定量の水を供給させつつ、収容部１８３に送り出す構成であるが、円柱形部材１８７及び１８８のどちらか一方の円柱形部材の側面に所定の大きさの複数の凸部を設け、他方の円柱形部材の側面にその凸部に対応する複数の凹部を設ける構成としてもよい。これにより、円柱形部材１８７及び１８８をそれぞれ互いに反対方向に回転させることで、古紙１１に複数の孔を空けつつ、収容部１８３に送り出すことができるので、古紙１１を早く解繊することができると共に、回転羽の負担を軽減することができる。
【０２１１】
また、上記実施形態における古紙解繊装置１８０、１９０、１９６、１９９、２０１、及び２０３〜２０６では、解繊された古紙１１が収容部１８３の下方に備えられる収容部１８５に収容される構成であるが、孔１８６を収容部１８３の側面に設け、更に、収容部１８３を収容部１８３の横方向に備え、解繊後の古紙１１を横方向に排出してもよい。
【０２１２】
また、上記実施形態における古紙解繊装置１８０、１９０、１９６、１９９、２０１、及び２０３〜２０６は、古紙１１に複数の孔を開けることが可能な孔開装置を備えるようにしてもよい。
図２３（ａ）は、その孔開装置の斜視図である。
【０２１３】
図２３（ａ）に示すように、孔開装置２３０は、側面にスパイク形状部材２３１が等間隔に設けられ、回転することにより古紙１１の全体に複数の孔を開ける円柱形部材２３２と、古紙１１が円柱形部材２３２の側面に接触するように古紙１１の両面を押さえる紙押え板２３３、２３４とを備えて構成される。
【０２１４】
また、紙押え板２３３には、円柱形部材２３２が回転することによってスパイク形状部材２３１が紙押え板２３３に当らないように、スパイク形状部材２３１と同じ間隔に溝２３５が設けられている。
また、紙押え板２３４には、円柱形部材２３２が回転することによってスパイク形状部材２３１が紙押え板２３４に当らないように、スパイク形状部材２３１と同じ間隔に溝２３６が設けられている。
【０２１５】
また、図２３（ｂ）は、孔開装置２３０を側面から見た図である。
図２３（ｂ）に示すように、図２３（ｂ）の右方向から古紙１１が送られてくると、古紙１１は、回転する円柱形部材２３２と紙押え板２３４との間に入る。そして、古紙１１は、円柱形部材２３２と紙押え板２３４との間でスパイク形状部材２３１により孔が開けられ、紙押え板２３３と紙押え板２３４との間に送り出される。
【０２１６】
また、図２３（ｃ）は、スパイク形状部材２３１の一例を示す図であり、図２３（ｄ）は、図２３（ｃ）に示すスパイク形状部材２３１を上から見た図である。
図２３（ｃ）及び（ｄ）に示すスパイク形状部材２３１は、円柱形状に形成されており、その先端部は尖っている。これにより、古紙１１に円形状の孔を開けることができる。
【０２１７】
また、図２３（ｅ）は、スパイク形状部材２３１の他の一例を示す図であり、図２３（ｆ）は、図２３（ｅ）に示すスパイク形状部材２３１を上から見た図である。
図２３（ｅ）及び（ｆ）に示すスパイク形状部材２３１は、直方体状に形成されており、その先端部は尖っている。これにより、古紙１１に四角形状の孔を開けることができる。
【０２１８】
また、図２３（ｇ）は、スパイク形状部材２３１の更に他の一例を示す図であり、図２３（ｈ）は、図２３（ｇ）に示すスパイク形状部材２３１を上から見た図である。
図２３（ｇ）及び（ｈ）に示すスパイク形状部材２３１は、三角錐状に形成されている。これにより、古紙１１に三角形状の孔を開けることができる。
【０２１９】
なお、スパイク形状部材２３１は、図２３（ｃ）〜（ｈ）に示す構成に限ることなく構成することができる。
また、上記実施形態における古紙解繊装置１８０、１９０、１９６、１９９、２０１、及び２０３〜２０６の収容部１８３の内側は、図２４（ａ）に示すように、複数の突起物２４０が設けられていてもよい。このように、収容部１８３の内側を構成することにより、水分を含んだ古紙１１を収容部１８３の内側にあまり張り付かないようにすることができる。
【０２２０】
また、同様に、図２４（ｂ）に示すように、収容部１８３の内側にらせん状の溝２４１を設けてもよい。このように、収容部１８３の内側を構成することにより、水分を含んだ古紙１１を収容部１８３の内側にあまり張り付かないようにすることができる。
また、同様に、図２４（ｃ）に示すように、収容部１８３の内側に縦方向に平行な複数の溝２４２を設けてもよい。このように、収容部１８３の内側を構成することにより、水分を含んだ古紙１１を収容部１８３の内側にあまり張り付かないようにすることができる。
【０２２１】
また、同様に、図２４（ｄ）に示すように、収容部１８３の横方向に平行な複数の溝２４３を設けてもよい。このように、収容部１８３の内側を構成することにより、水分を含んだ古紙１１を収容部１８３の内側にあまり張り付かないようにすることができる。
（２９）図２５は、回転羽１３−７を３つ備える場合の古紙解繊装置１３のタンク１３−５の他の構成を示す図であり、図２５（ａ）は、その他の構成のタンク１３−５の斜視図であり、図２５（ｂ）は、その他の構成のタンク１３−５を真上から見た図である。なお、図２５（ｂ）に示す矢印Ｍは、各回転羽１３−７を回転させた場合の古紙１１の流れの一例を示すものである。
【０２２２】
図２５（ａ）及び（ｂ）に示すタンク１３−５の内側側面には、端面がイチョウの葉形の柱部材２５０が３つ設けられている。各柱部材２５０の回転羽１３−７と向い合う側面は、それぞれ、回転羽１３−７の回転径に沿った曲面が形成されている。これにより、各回転羽１３−７は、３つの柱部材２５０の全ての側面と一定の間隔を保ちながら回転することができる。
【０２２３】
また、３つの回転羽１３−７をタンク１３−５の側面と一定の間隔を保ちながら回転させることができるので、タンク１３−５の内側側面に古紙１１が溜まらなくなり、大量の古紙１１を効率良く解繊させることができる。
なお、回転羽１３−７及び柱部材２５０は、それぞれ２つまたは４つ以上設けられてもよい。
【０２２４】
（３０）また、図２６は、上記回転羽１３−７の他の構成を示す図であり、図２６（ａ）は、回転羽１３−７を上から見た図を、図２６（ｂ）は、回転羽１３−７を横から見た図を示している。なお、図２６（ａ）及び（ｂ）に示す回転羽１３−７は、回転中のものを示している。また、図１７と同じ構成については同じ符号を付けている。
【０２２５】
図２６（ａ）及び（ｂ）に示す回転羽１３−７は、中心からそれぞれ互いに反対方向に伸びる２つの羽１３−７ｘ及び１３−７ｙを備えている。また、回転羽１３−７は、回転軸に上方に伸びる円柱部材２６０が設けられ、その円柱部材２６０の側面には、金属輪２６１が２つ設けられている。そして、その２つの金属輪２６１には、それぞれ、先端部に金属輪２６２を有する棒状部材２６３が連結されている。
【０２２６】
そして、回転羽１３−７が回転することにより、棒状部材２６２も回転させることができるので、羽１３−７ｘ及び１３−７ｙと棒状部材２６３に古紙１１−１を衝突させ古紙１１−１を繊維状に解繊させることできる。これにより、騒音を抑えつつ、更に古紙１１を効率良く解繊することができる。尚、回転羽１３−７は、鉄、ステンレス、アルミ、その他の合金や樹脂等特に材質は限定されない。また、円柱部材２６０に設けられる棒状部材２６３の数は限定されない。
【０２２７】
（３１）また、図２７は、上記回転羽１３−７の他の構成を示す図であり、図２７（ａ）は、回転羽１３−７を上から見た図を、図２７（ｂ）は、回転羽１３−７を横から見た図を示している。なお、図１７及び図２６と同じ構成については同じ符号を付けている。
図２７（ａ）及び（ｂ）に示す回転羽１３−７は、２つの羽１３−７ｘ及び１３−７ｙを備え、回転軸に上方に伸びる円柱部材２６０が設けられている。また、その円柱部材２６０の側面には、それぞれ異なる高さの位置に、例えば、樹脂製の紐部材２７０が複数備えられている。
【０２２８】
そして、回転羽１３−７が回転することにより、紐部材２７０も回転させることができるので、羽１３−７ｘ及び１３−７ｙと紐部材２７０に古紙１１−１を衝突させ古紙１１−１を繊維状に解繊させることができる。これにより、騒音を抑えつつ、更に古紙１１を効率良く解繊することができる。尚、回転羽１３−７は、鉄、ステンレス、アルミ、その他の合金や樹脂等特に材質は限定されない。また、円柱部材２６０に設けられる紐部材２７０の数は限定されない。そして、前記紐部材は樹脂材のワイヤーロープや針金等、その材質は特に限定されない。
【０２２９】
なお、羽１３−７ｘ及び１３−７ｙが無い回転羽１３−７を構成してもよい。
また、羽１３−７ｘ及び１３−７ｙの代わりに紐部材２７０が設けられる回転羽１３−７を構成してもよい。
（３２）次に、上記実施形態の古紙解繊装置により解繊された古紙１１を培用土として使用したときの使用例を説明する。
【０２３０】
図２８は、解繊された古紙１１を培用土として使用したときの使用例を説明するための図である。
まず、図２８（ａ）に示すように、両端が適当な長さに切断された青竹２８０を用意する。
【０２３１】
図２８（ｂ）は、青竹２８０の一部の断面図である。図２８（ｂ）に示すように、１つの中空（青竹２８０の節と節との間の空洞部分）が残るように青竹２８０の両端を切り、更に、その青竹２８０の上部（青竹２８０を横にしたときの青竹２８０の上部）を切り取る。なお、図２８（ｂ）の例では、１つの中空部分に植物が植えられるように青竹２８０を成形しているが、植物を植えるための中空部分を２つ以上設けて青竹２８０を成形してもよい。
【０２３２】
このように、青竹２８０の両端と上部が切り取られ、図２８（ｃ）に示すような青竹２８０の器２８１が完成する。
そして、図２８（ｄ）に示すように、器２８１中央の中空部分に解繊された古紙１１を入れ、植物２８２を植える。この植物２８２を差し替えることにより常緑化を実現することができる。
【０２３３】
また、器２８１を図２８（ｅ）に示すように複数並べて使用することにより、多くの様々な植物２８２を植えることができる。なお、器２８１を複数並べて使用するとき、それらの器２８１は連結させてもよい。
（３３）図２９は、解繊された古紙１１を培用土として使用したときの他の使用例を説明するための図である。
【０２３４】
図２９（ａ）は、図２８（ａ）に示す青竹２８０の一部の断面図である。図２９（ａ）に示すように、２つの中空が残るように青竹２８０の両端を切り、更に、その２つの中空のそれぞれの青竹２８０の上部（青竹２８０を横にしたときの青竹２８０の上部）をＶ字に切り取る。なお、図２９（ａ）の例では、２つの中空部分に植物が植えられるように青竹２８０が成形されているが、植物を植えるための中空部分を１つ、又は３つ以上設けて青竹２８０を成形してもよい。
【０２３５】
このように、青竹２８０の両端と上部が切り取られると、図２９（ｂ）に示すような青竹２８０の器２９０が完成する。
そして、図２９（ｃ）に示すように、器２９０の２つの中空部分に解繊された古紙１１を入れ、植物２８２を植える。図２９（ｄ）は、図２９（ｃ）に示す器２９０の断面図である。
【０２３６】
また、図２９（ｅ）に示すように、器２９０は、Ｖ字に切り取られた開口部が地面に向くように設置して使用することもできる。図２９（ｆ）は、図２９（ｅ）に示す器２９０の断面図である。このように、器２９０を逆さにしても古紙１１が繊維化しているため、古紙１１同士が絡み合うと共に、古紙１１が器２９０の内側に張り付く。これにより、古紙１１が器２９０からこぼれ落ちない。
【０２３７】
また、器２９０を図２９（ｇ）に示すように複数並べて使用することにより、多くの様々な植物２８２を植えることができる。なお、器２９０を複数並べて使用するとき、それらの器２９０は連結させてもよい。
（３４）図３０は、解繊された古紙１１を培用土として使用したときの他の使用例を説明するための図である。
【０２３８】
例えば、図２８（ａ）に示す青竹２８０を縦に半分に割り、更に、節と節との間の青竹２８０の一部を四角形に切り取り、更に、２つの節を残して青竹２８０の両端を切る。すると、図３０（ａ）に示すような青竹２８０の器３００が成形される。
図３０（ｂ）は、図３０（ａ）に示す器３００を複数並べて使用したときの構成を模式的に示す図である。図３０（ｂ）に示すように、パネル３０１上に器３００が縦に４列、横に３列並べられ、各中空部分には解繊された古紙１１が入れられ、その中に植物２８２が植えられている。
【０２３９】
図３０（ｃ）は、図３０（ｂ）に示す器３００の断面を示す図である。図３０（ｃ）に示すように、各器３００は、ビス３０２でパネル３０１に固定されている。また、各器３００のそれぞれの節には水抜き穴３０３が設けられており、その水抜き穴３０３を通って器３００内の水が他の器３００内に移動することにより、全ての植木２８２に適度な水分を供給することができる。
【０２４０】
また、器３００は、図３０（ｄ）に示すように複数連結してアーチ状に構成してもよい。
また、解繊された古紙１１を培用土として使用するときのその古紙１１を入れる器は、青竹２８０に限らず、プラスチック、発泡材、木材、レンガ、ブロック、石垣等を利用して成形してもよい。
【０２４１】
また、成形された器に土を入れ、その上を解繊された古紙１１で覆うようにしてもよい。
このように、解繊された古紙１１を培用土として利用することにより、成形された器から古紙１１がこぼれることなく植物２８２を植えることができる。これにより、低コストで屋上のガーデニングを行うことができたり、低コストで建物の壁や門等に植物を垂直に植えたり（垂直緑化）、アーチ状に植物を植えることができる（吊り下げ緑化）。
【０２４２】
（３５）次に、上記実施形態の古紙解繊装置により解繊された古紙１１を断熱材として使用したときの使用例を説明する。
図３１は、解繊された古紙１１を断熱材として使用したときの使用例を説明するための図である。
【０２４３】
図３１（ａ）は、断熱材を構成させる外枠３１０の展開図である。なお、図３１に示す使用例では、断熱材の外枠３１０として、ダンボールを使用しているが、断熱材の外枠３１０の素材は厚紙等ダンボールに限定されない。また、図３１に示す断熱材は、例えば、建物の壁や天井のユニット式の断熱材として使用されることが考えられる。
【０２４４】
また、図３１（ｂ）は、断熱材の内部に備えられる中仕切り部材３１１の展開図である。なお、図３１に示す例では、この中仕切り部材３１１もダンボールを使用しているが、中仕切り部材３１１の素材も厚紙等ダンボールに限定されない。
まず、外枠３１０及び中仕切り部材３１１の表面には、予めホウ素等の防燃材や難燃材が添加されて難燃加工されている。例えば、外枠３１０及び中仕切り部材３１１の表面全体に、接着剤を塗布し、その上にホウ素等の防燃材や難燃材を付着させてもよい。また、例えば、外枠３１０及び中仕切り部材３１１の表面全体にホウ素等の防燃材や難燃材を混入させたインクを印刷してもよい。
【０２４５】
次に、外枠３１０を図３１（ａ）に示す破線で折り曲げて箱を形成し、その箱の中に図３１（ｂ）に示す破線で折り曲げられた中仕切り部材３１１を組み込み、その中に解繊された古紙１１を充填する。すると、図３１（ｃ）に示すような直方体の断熱材３１２が形成される。
【０２４６】
図３１（ｄ）は、図３１（ｃ）に示す断熱材３１２のＡ１面の断面を示す図である。図３１（ｄ）に示すように、中仕切り部材３１１は、外枠３１０内部にジグザグに折り曲げられて固定されており、外枠３１０と中仕切り部材３１１とで形成される空間に解繊された古紙１１が充填されている。なお、この解繊された古紙１１にも予めホウ素等の防燃材や難燃材が添加され、難燃加工されている。
【０２４７】
このように、外枠３１０内部に中仕切り部材３１１を備えることにより、断熱材３１２の強度を高めると共に、断熱材３１２の内部に充填される古紙１１の沈み込みを抑えることができる。また、断熱材３１２を古紙１１やダンボール等で構成することにより、軽量で安価な断熱材３１２を構成することができる。また、ダンボール製造工場等で発生する古紙１１を断熱材３１２に充填してもよい。
【０２４８】
なお、解繊された古紙１１（繊維素材）とホウ素、防燃材、難燃材その他の素材とが混合されて形成される難燃性繊維素材は、難燃加工された箱だけでなく、難燃加工された袋やその他の容器に充填することにより、断熱材を形成してもよい。
（３６）図３２は、解繊された古紙１１を断熱材として使用したときの他の使用例を説明するための図である。
【０２４９】
図３２（ａ）は、断熱材を構成させる外枠３１０の展開図である。なお、図３２に示す使用例では、断熱材の外枠３２０として、ダンボールを使用しているが、断熱材の外枠３２０の素材は厚紙等ダンボールに限定されない。また、図３２に示す断熱材は、例えば、建物の壁や天井のユニット式の断熱材として使用されることが考えられる。
【０２５０】
また、図３２（ｂ）は、断熱材の内部に備えられる中仕切り部材３２１の展開図である。なお、図３２に示す例では、この中仕切り部材３２１もダンボールを使用しているが、中仕切り部材３２１の素材も厚紙等ダンボールに限定されない。
まず、外枠３２０及び中仕切り部材３２１の表面には、予めホウ素、防燃材、難燃材等が添加されて難燃加工されている。例えば、外枠３２０及び中仕切り部材３２１の表面全体に、接着剤を塗布し、その上にホウ素等の防燃材や難燃材を付着させてもよい。また、例えば、外枠３２０及び中仕切り部材３２１の表面全体にホウ素等の防燃材や難燃材を混入させたインクを印刷してもよい。
【０２５１】
次に、外枠３２０を図３２（ａ）に示す破線で折り曲げて箱を形成し、その箱の中に図３２（ｂ）に示す破線で折り曲げられた中仕切り部材３２１を組み込み、その中に解繊された古紙１１を充填する。すると、図３１（ｃ）に示すような直方体の断熱材３２２が形成される。
【０２５２】
図３２（ｄ）は、図３２（ｃ）に示す断熱材３２２のＡ２面の断面を示す図である。図３２（ｄ）に示すように、中仕切り部材３２１は、外枠３２０内部にジグザグに折り曲げられて固定されており、外枠３２０と中仕切り部材３２１とで形成される空間に解繊された古紙１１が充填されている。なお、この解繊された古紙１１にも予めホウ素等の防燃材や難燃材が添加され、難燃加工されている。
【０２５３】
このように、外枠３２０内部に中仕切り部材３２１を備えることにより、断熱材３２２の強度を高めると共に、断熱材３２２の内部に充填される古紙１１の沈み込みを抑えることができる。また、断熱材３２２を古紙１１やダンボール等で構成することにより、軽量で安価な断熱材３２２を構成することができる。また、ダンボール製造工場等で発生する古紙１１を断熱材３２２に充填してもよい。
【０２５４】
なお、解繊された古紙１１（繊維素材）とホウ素、防燃材、難燃材その他の素材とが混合されて形成される難燃性繊維素材は、難燃加工された箱だけでなく、難燃加工された袋やその他の容器に充填することにより、断熱材を形成してもよい。
（３７）図３３（ａ）は、本発明の他の実施形態の古紙解繊装置３３０を示す図であり、古紙解繊装置３３０の内部を横から見た図である。なお、古紙解繊装置２０４と同じ構成のものには同一の符号を付け、その構成の説明を省略する。
【０２５５】
古紙解繊装置３３０の特徴とするところは、図３３（ａ）に示すように、収容部１８３が所定の角度で傾けられていると共に、複数の紐部材３３１が回転軸上に設けられる回転羽３３２を備えて構成されるところである。
回転羽３３２は、厚みまたは幅のある羽３３３の他に、羽３３３の回転軸に対して垂直方向に、且つ、羽３３３の回転軸を中心とする十字方向に羽３３３の回転軸上に設けられる４本の紐部材３３１の組が、羽３３３の回転軸上のある間隔毎に３組設けられている。なお、回転羽３３２は、羽３３３の代わりに紐部材３３１を設ける構成としてもよい。
【０２５６】
そして、紐部材３３１及び羽３３３が回転することにより、紐部材３３１及び羽３３３に古紙１１−１が衝突し古紙１１−１を繊維状に解繊させることができる。これにより、騒音を抑えつつ、更に古紙１１を効率良く解繊することができる。尚、羽３３３は、鉄、ステンレス、アルミ、その他の合金や樹脂等特に材質は限定されない。また、羽３３３の回転軸上に設けられる紐部材３３１の数は限定されない。また、紐部材３３１は、ワイヤーロープ、針金、または樹脂等特に材質は限定されない。
【０２５７】
（３８）図３３（ｂ）は、本発明の他の実施形態の古紙解繊装置３３４を示す図であり、古紙解繊装置３３４の内部を横から見た図である。なお、古紙解繊装置２０６と同じ構成のものには同一の符号を付け、その構成の説明を省略する。
古紙解繊装置３３４の特徴とするところは、図３３（ｂ）に示すように、収容部１８３の側面に対して垂直方向と同じ方向に回転軸がくるように回転羽３３２が収容部１８３に設けられているところである。なお、図３３（ｂ）に示す回転羽３３２は、紐部材３３１のみが設けられる構成としている。
【０２５８】
これにより、騒音を抑えつつ、更に古紙１１を効率良く解繊することができる。
（３９）図３３（ｃ）は、本発明の他の実施形態の古紙解繊装置３３５を示す図であり、古紙解繊装置３３５の内部を横から見た図である。なお、古紙解繊装置２０１と同じ構成のものには同一の符号を付け、その構成の説明を省略する。
【０２５９】
古紙解繊装置３３５の特徴とするところは、図３３（ｃ）に示すように、円柱形部材１９２及び１９４で送り出される紙片状の古紙１１に所定量の水分を霧状して吹き付けることが可能な霧吹部２０２と、回転羽３３２とを備えているところである。
これにより、騒音を抑えつつ、更に古紙１１を効率良く解繊することができる。
【０２６０】
（４０）図３４は、解繊された古紙１１を培用土として使用するときのその古紙１１を入れる器の例を示す図であり、図３４（ａ）は、古紙１１を入れる器３４０の正面図を、図３４（ｂ）は、器３４０の背面図（図３４（ａ）を紙面垂直方向の下から見た図）を、図３４（ｃ）は、器３４０の側面図（図３４（ａ）を紙面平行方向の下から見た図）を、図３４（ｄ）は、器３４０の上面図（図３４（ａ）を紙面平行方向の左から見た図）を、図３４（ｅ）は、Ａ−Ａ断面図を、図３４（ｆ）は、Ｂ−Ｂ断面図をそれぞれ示している。
【０２６１】
図３４（ａ）〜（ｆ）に示すように、器３４０は、２つの節をもつ青竹を縦に半分に割ったときのように形成されている。なお、器３４０の材質はプラスチックや樹脂等特に限定されない。
器３４０は、上方部及び下方部が青竹の節となるように形成される外形部材３４１と、外形部材３４１の長手方向の端部に沿って設けられる溝３４２にスライドして挿入され、器３４０の背面部をふさぐ板部材３４３とから構成される。
【０２６２】
外形部材３４１は、中央部に孔３４４が設けられており、この孔３４４を通して器３４０内に植物を入れるように構成されている。
また、外形部材３４１の下方部には、アーチ状の突起部３４５が設けられ、外形部材３４１の上方部には、突起部３４５が収まる大きさのアーチ状の溝３４６が設けられている。
【０２６３】
また、更に、外形部材３４１の突起部３４５の内側にある面及び溝３４６の内側にある面には、それぞれ２本のスリット３４７が設けられている。
また、図３４（ｃ）は、板部材３４３の右半分のみが示されており、板部材３４３の左半分は板部材３４３の右半分と同じ構成となっている。板部材３４３の右側には、２つの孔３４８が設けられており、左側にも図示されていないが、２つの孔３４８が設けられている。
【０２６４】
また、板部材３４３の端部には、壁に設けられるフック等にかけられるように、孔３４９が設けられている。
また、図３４（ｂ）に示すように、板部材３４３には、スリット３５０が設けられており、複数の器３４０を器３４０の長手方向に連結する場合は、このスリット３５０に沿って折り曲げて切ることにより、孔３４９が設けられている部分を板部材３４３から切り離すことができる。
【０２６５】
図３５は、複数の器３４０が連結されたものを示す図である。
図３５（ａ）に示すように、ある器３４０の溝３４６に他の器３４０の突起部３４５をはめることにより、複数の器３４０を器３４０の長手方向に連結していくことができる。
図３５（ｂ）に示すように、４つの突起部分をもつジョイントパーツ３５１のその突起部分を板部材３４３の孔３４８に挿入することにより、複数の器３４０を器３４０の長手方向に対して垂直方向に連結させることができる。
【０２６６】
また、図３５（ｃ）に示すように、ひも３５２を板部材３４３の孔３４８に縫うように通していくことにより、複数の器３４０を器３４０の長手方向に対して垂直方向に連結させることができる。
また、図３５（ｄ）は、３０個の器３４０を６×５となるように、ジョイントパーツ３５１またはひも３５２により連結したものを示す図であり、図３５（ｅ）は、その連結された器３４０の上面図を示している。
【０２６７】
また、図３５（ｆ）は、ジョイントパーツ３５１の突起部分またはひも３５２を挿入する孔３４８の場所を図３５（ｄ）及び（ｅ）に示す場合のジョイントパーツ３５０の突起部分の挿入する孔３４７の場所よりも１つづつずらして器３４０を連結したものを示している。すなわち、例えば、1つのジョイントパーツ３５１を使用して３つの器３４０を連結している。そして、図３５（ｇ）は、その連結された器３４０の上面図を示している。
【０２６８】
また、図３５（ｄ）及び（ｅ）や図３５（ｆ）及び（ｇ）のように、複数の器３４０を連結したものは、図３５（ｈ）または図３５（ｉ）に示すように、器３４０が連結される方向に対して垂直方向に弓なりに曲げることができる。
また、図３５（ｊ）は、連結された器３４０のそれぞれに植物３５３が植えられた例を示す図である。器３４０の中にはそれぞれ解繊された古紙１１が植物が入れられ、水や液肥が注入されている。
【０２６９】
このように形成される器３４０は、解繊された古紙１１を入れ、更に、その古紙１１に水や液肥を染み込ませることにより、培用土入りの鉢として利用することができる。また、水や液肥が染み込んだ解繊後の古紙１１は、例えば、植物の茎や根を挿しても倒れることがないので、剣山として利用することができる。
【０２７０】
（４１）図３６は、解繊された古紙１１を培用土として使用したときの他の使用例を説明するための図である。
まず、１本の長い青竹の各中空部分の一部を切り取り、その中空部分に上記実施形態の古紙解繊装置で解繊された古紙１１を入れると共に、水や液肥を入れ、その古紙１１へ植物を植えていく。
【０２７１】
そして、このように各中空部分に植物が植えられた青竹を複数本縦に円を描くように立てかけることが可能な台に立てかけていく。
図３６に示す台３６０は、円柱形部材３６１の上面に円柱形部材３６１の上面の面積よりも大きい面積の円形部材３６２が設けられると共に、円柱形部材３６１の下面に円柱形部材３６１の下面の面積よりも大きい面積の円形部材３６３が設けられて構成されている。そして、円形部材３６２は円周に沿って等間隔に１０個の孔３６４が設けられている。また、円形部材３６３は円周に沿って等間隔に孔３６４と等しい大きさの１０個の溝が設けられている。なお、円形部材３６２に設けられる孔３６４の数や円形部材３６３に設けられる溝の数は１０個に限定されない。
【０２７２】
そして、この円形部材３６２の孔３６４に各中空部分に植物が植えられた青竹３６５を挿すことにより、図３６に示すような構成の造形物を形成することができる。
（４２）図３７に示すような古紙繊維素材利用システム３７０を採用することもできる。
【０２７３】
図３７に示す古紙繊維素材利用システム３７０は、古紙解繊装置１３が設置される店に顧客（ユーザ）が足を運び、その顧客が複数のサービス中から希望のサービスを選択して古紙１１から様々な再生品を生成し、その選択されたサービスに応じた料金を顧客が支払うというシステムである。
【０２７４】
装置設置店３７１には、古紙解繊装置１３が１台以上設置されており、顧客３７２が持ってくる古紙１１を古紙解繊装置１３で解繊するところである。なお、装置設置店３７１は、古紙解繊装置１３をトラック等にのせることにより移動可能な形態としてもよい。また、装置設置店３７１は、顧客３７２が希望とするサービスの受け付けや顧客３７２が希望とするサービスに応じた古紙解繊装置１３の操作等を従業員が行うようにしてもよい。また、古紙解繊装置１３にサービス選択手段等を備えることにより従業員を介さずに顧客３７２が希望とするサービスを行うようにしてもよい。また、装置設置店３７１は、顧客３７２が希望とするサービスの料金の支払いを従業員を介して行うようにしてもよい。また、古紙解繊装置１３に料金支払い手段を備えることにより従業員を介さずに自動的に料金が支払えるようにしてもよい。
【０２７５】
また、装置設置店３７１は、顧客３７２が選択したサービス毎に管理番号を付けると共に、選択されたサービス毎に解繊された古紙１１または再生品を透明容器３７３やネット（網）３７４に入れて、顧客３７２に提供する。
監視カメラ３７５は、古紙１１の解繊状況や再生品の生成状況を常に監視するものであり、その映像のデータは、例えば、装置設置店３７１が備えるコンピュータ等に記録される。また、監視カメラ３７５による映像データは、顧客３７２の要求に応じて、サービス毎に顧客３７２のもつ携帯電話３７６等にネットワーク３７７を介して配信され、顧客３７２は、携帯電話３７６のディスプレイ等で古紙１１の解繊状況や再生品の生成状況を確認することができる。
【０２７６】
なお、装置設置店３７１で取り扱う古紙１１の種類は、機密文書、コピー紙、新聞、ダンボール、牛乳パック、雑誌等特に限定されない。
次に、装置設置店３７１で取り扱うサービスについて説明する。
まず、顧客３７２は、古紙１１の解繊処理の種類を選択する。顧客３７２が選択できる古紙１１の解繊処理の種類は、例えば、古紙解繊装置１３を３分動作させる「荒処理」、５分動作させる「普処理」、８分動作させる「細処理」、１０分動作させる「特処理」等がある。
【０２７７】
次に、顧客３７２は、希望とする再生品の種類を選択する。顧客３７２が選択できる再生品の種類は、例えば、解繊処理だけのもの、ガーデニング用の培用土、教材用の紙粘土、廃油吸着材、建築材料用の難燃材等がある。
また、更に、顧客３７２は、ゼオライト混入処理、滅菌処理、ＥＭ菌（Ｅｆｆｅｃｔｉｖｅ  Ｍｉｃｒｏｏｒｇａｎｉｓｍｓ）混入処理、着色処理等を行うミックス処理や乾燥処理を選択できるようにしてもよい。
【０２７８】
そして、解繊処理や再生品生成処理が終了し、その解繊された古紙１１や再生品が透明容器３７３やネット３７４に入れられる。
また、顧客３７２に料金に応じた金券、チケット、またはスタンプを料金の支払いの際に渡し、次回以降の利用の際、その顧客３７２に対して料金割引やその他のサービスを行うようにしてもよい。
【図面の簡単な説明】
【０２７９】
【図１】本発明の実施形態の古紙繊維素材利用システムを示す図である。
【図２】古紙から再生紙または再生製品が創造されるまでの流れを説明するためのフローチャートである。
【図３】（ａ）は、古紙解繊装置の斜視図であり、（ｂ）は、古紙解繊装置を矢印Ａ方向から見たときの古紙解繊装置の断面図である。
【図４】（ａ）は、内蓋の他の構成を示す斜視図であり、（ｂ）は、内蓋の他の構成を下方から見た図であり、（ｃ）は、内蓋の他の構成を横から見た図であり、（ｄ）は、内蓋の他の構成を示す斜視図である。
【図５】内蓋の他の構成を示す斜視図である。
【図６】（ａ）は、回転羽を上から見た図であり、（ｂ）は、回転羽を横から見た図である。
【図７】（ａ）は、他の形状の回転羽を上から見た図であり、（ｂ）は、他の形状の回転羽を横から見た図である。
【図８】（ａ）は、他の形状の回転羽を上から見た図であり、（ｂ）は、他の形状の回転羽を横から見た図である。
【図９】（ａ）は、他の形状の回転羽を上から見た図であり、（ｂ）は、他の形状の回転羽を横から見た図である。
【図１０】（ａ）は、他の形状の回転羽を上から見た図であり、（ｂ）は、他の形状の回転羽を横から見た図である。
【図１１】（ａ）は、タンクの斜視図であり、（ｂ）は、タンクを真上から見た図である。
【図１２】他の構成のタンク及び回転羽を示す図である。
【図１３】古紙解繊装置の動作を説明するためのフローチャートである。
【図１４】本発明の実施形態の古紙解繊装置の他の構成を示す図である。
【図１５】本発明の実施形態の古紙繊維素材利用システムの他の構成を示す図である。
【図１６】他の形状の回転羽を示す図である。
【図１７】他の形状の回転羽を示す図である。
【図１８】本発明の他の実施形態の古紙解繊装置を示す図である。
【図１９】本発明の他の実施形態の古紙解繊装置を示す図である。
【図２０】本発明の他の実施形態の古紙解繊装置を示す図である。
【図２１】本発明の他の実施形態の古紙解繊装置を示す図である。
【図２２】本発明の他の実施形態の古紙解繊装置を示す図である。
【図２３】孔開装置を示す図である。
【図２４】収容部の一例を示す図である。
【図２５】他の実施形態のタンクを示す図である。
【図２６】他の形状の回転羽を示す図である。
【図２７】他の形状の回転羽を示す図である。
【図２８】本実施形態の古紙解繊装置により解繊される古紙を培用土とするときの利用例を説明するための図である。
【図２９】本実施形態の古紙解繊装置により解繊される古紙を培用土とするときの利用例を説明するための図である。
【図３０】本実施形態の古紙解繊装置により解繊される古紙を培用土とするときの利用例を説明するための図である。
【図３１】本実施形態の古紙解繊装置により解繊される古紙を断熱材とするときの利用例を説明するための図である。
【図３２】本実施形態の古紙解繊装置により解繊される古紙を断熱材とするときの利用例を説明するための図である。
【図３３】本発明の他の実施形態の古紙解繊装置を示す図である。
【図３４】本実施形態の古紙解繊装置により解繊される古紙を培用土とするときの利用例を説明するための図である。
【図３５】本実施形態の古紙解繊装置により解繊される古紙を培用土とするときの利用例を説明するための図である。
【図３６】本実施形態の古紙解繊装置により解繊される古紙を培用土とするときの利用例を説明するための図である。
【図３７】本発明の実施形態の古紙繊維素材利用システムの他の構成を示す図である。
【符号の説明】
【０２８０】
１０        古紙繊維素材利用システム
１１−１    古紙
１１−２    繊維素材
１１−３    再生紙
１１−４    再生製品
１２        事業所
１３        古紙解繊装置
１３−１    本体部
１３−２    外蓋
１３−３    電源スイッチ
１３−４    スタートスイッチ
１３−５    タンク
１３−６    内蓋
１３−７    回転羽
１３−８    センサ
１３−９    水注入手段
１３−１０  ベルト
１３−１１  モータ
１３−１２  制御手段
１３−１３  突起物
１３−１４  おわん型部材
１３−１５  孔
１３−１６  円錐型部材
１３−１７  突起物
１３−１８  突起物
１３−１９  パイプ
１４        装置取扱所
１５        製紙工場
１６        再生製品工場
１５０      古紙繊維素材利用システム
１５１      管理センター
１５２      据置式古紙解繊装置
１５３      移動式古紙解繊装置
１５４      ビデオカメラ
１５５      カメラ付き携帯電話
１５６      インターネット
１５７      繊維素材
１５８      ストックヤード
１５９      人工衛星
１８０      古紙解繊装置
１８１      供給部
１８２      回転羽
１８３      収容部
１８４      制御部
１８５      収容部
１８６      孔
１８７、１８８  円柱形部材
１８９      タンク
１９０      古紙解繊装置
１９１      カッター部
１９２      円柱形部材
１９３      溝
１９４      円柱形部材
１９５      開閉部
１９６      古紙解繊装置
１９７      収容部
１９８      送出部
１９９      古紙解繊装置
２００      回転羽
２０１      古紙解繊装置
２０２      霧吹部
２０３〜２０６  古紙解繊装置
２０７      回転羽
【図１】
2005009062.tif 000005
【図２】
2005009062.tif 000006
【図３】
2005009062.tif 000007
【図４】
2005009062.tif 000008
【図５】
2005009062.tif 000009
【図６】
2005009062.tif 000010
【図７】
2005009062.tif 000011
【図８】
2005009062.tif 000012
【図９】
2005009062.tif 000013
【図１０】
2005009062.tif 000014
【図１１】
2005009062.tif 000015
【図１２】
2005009062.tif 000016
【図１３】
2005009062.tif 000017
【図１４】
2005009062.tif 000018
【図１５】
2005009062.tif 000019
【図１６】
2005009062.tif 000020
【図１７】
2005009062.tif 000021
【図１８】
2005009062.tif 000022
【図１９】
2005009062.tif 000023
【図２０】
2005009062.tif 000024
【図２１】
2005009062.tif 000025
【図２２】
2005009062.tif 000026
【図２３】
2005009062.tif 000027
【図２４】
2005009062.tif 000028
【図２５】
2005009062.tif 000029
【図２６】
2005009062.tif 000030
【図２７】
2005009062.tif 000031
【図２８】
2005009062.tif 000032
【図２９】
2005009062.tif 000033
【図３０】
2005009062.tif 000034
【図３１】
2005009062.tif 000035
【図３２】
2005009062.tif 000036
【図３３】
2005009062.tif 000037
【図３４】
2005009062.tif 000038
【図３５】
2005009062.tif 000039
【図３６】
2005009062.tif 000040
【図３７】
2005009062.tif 000041